(57)【要約】【課題】第１動作と第２動作とを相互に切り換えた直後において、過渡的に空調能力が過剰となったり不足したりすることを未然に回避できる蓄熱式空気調和機を提供する。【解決手段】蓄熱式空気調和機（10）の運転制御部（100,200）は、第１動作と第２動作とを相互に切り換える制御信号が入力される入力部（101）と、入力部（101）に制御信号が入力されるタイミングに同期して圧縮機（22）の回転数を強制的に変更させる回転数制御動作を行う圧縮機制御部（104）とを備える。【選択図】図１
2016211802.tif 000002
【特許請求の範囲】
【請求項１】
蓄熱式空気調和機であって、
圧縮機（22）と、室外熱交換器（23）と、室内熱交換器（72）とが接続され、冷媒が循環して冷凍サイクルが行われる冷媒回路（11）と、
冷却されることによって包接水和物が生成される蓄熱媒体と上記冷媒回路（11）の冷媒とを熱交換させる蓄熱部（63）と、
上記冷媒回路（11）の冷媒が蓄熱部（63）の蓄熱媒体とが熱交換せずに上記冷凍サイクルが行われる第１動作と、上記冷媒回路（11）の冷媒が上記蓄熱部（63）を通過して上記冷凍サイクルが行われる第２動作とを切り換える運転制御部（100,200）とを備え、
上記運転制御部（100,200）は、
上記第１動作と第２動作とを相互に切り換える制御信号が入力される入力部（101）と、
上記入力部（101）に上記制御信号が入力されるタイミングに同期して上記圧縮機（22）の回転数を強制的に変更させる回転数制御動作を行う圧縮機制御部（104）と
を備えていることを特徴とする蓄熱式空気調和機。
【請求項２】
請求項１において、
上記圧縮機制御部（104）は、上記入力部（101）に制御信号が入力された後、上記運転制御部（100,200）が上記第１動作から第２動作へ又は該第２動作から第１動作へ切り換える前に、上記回転数制御動作を行うように構成されている
ことを特徴とする蓄熱式空気調和機。
【請求項３】
請求項１又は２において、
上記第１動作は、上記室外熱交換器（23）で冷媒が凝縮し、上記室内熱交換器（72）で冷媒が蒸発する単純冷房運転を含み、
上記第２動作は、上記室外熱交換器（23）で冷媒が凝縮し、上記蓄熱部（63）で冷媒が冷却され、上記室内熱交換器（72）で冷媒が蒸発する利用冷房運転を含み、
上記圧縮機制御部（104）は、上記回転数制御動作において、上記単純冷房運転から上記利用冷房運転へ移行するタイミングに同期して上記圧縮機（22）の回転数を低減させ、上記利用冷房運転から上記単純冷房運転へ移行するタイミングに同期して上記圧縮機（22）の回転数を増大させることを特徴とする蓄熱式空気調和機。
【請求項４】
請求項１乃至３のいずれか１つにおいて、
上記第１動作は、上記室外熱交換器（23）で冷媒が凝縮し、上記室内熱交換器（72）で冷媒が蒸発する単純冷房運転を含み、
上記第２動作は、上記室外熱交換器（23）で冷媒が凝縮し、上記蓄熱部（63）及び上記室内熱交換器（72）で冷媒が蒸発する冷房蓄冷運転を含み、
上記圧縮機制御部（104）は、上記回転数制御動作において、上記単純冷房運転から上記冷房蓄冷運転へ移行するタイミングに同期して上記圧縮機（22）の回転数を増大させ、該冷房蓄冷運転から上記単純冷房運転へ移行するタイミングに同期して上記圧縮機（22）の回転数を低減させることを特徴とする蓄熱式空気調和機。
【請求項５】
請求項１乃至４のいずれか１つにおいて、
上記第１動作は、上記室内熱交換器（72）で冷媒が凝縮し、上記室外熱交換器（23）で冷媒が蒸発する単純暖房運転を含み、
上記第２動作は、上記室内熱交換器（72）で冷媒が凝縮し、上記蓄熱部（63）で冷媒が加熱され、上記室外熱交換器（23）で冷媒が蒸発する利用暖房運転を含み、
上記圧縮機制御部（104）は、上記回転数制御動作において、上記単純暖房運転から上記利用暖房運転へ移行するタイミングに同期して上記圧縮機（22）の回転数を減少させ、該利用暖房運転から上記単純暖房運転へ移行するタイミングに同期して上記圧縮機（22）の回転数を増大させることを特徴とする蓄熱式空気調和機。
【請求項６】
請求項１乃至５のいずれか１つにおいて、
上記第１動作は、上記室内熱交換器（72）で冷媒が凝縮し、上記室外熱交換器（23）で冷媒が蒸発する単純暖房運転を含み、
上記第２動作は、上記室内熱交換器（72）で冷媒が凝縮し、上記蓄熱部（63）で蓄熱媒体が加熱され、上記室外熱交換器（23）で冷媒が蒸発する蓄熱暖房運転を行うように構成され、
上記圧縮機制御部（104）は、上記回転数制御動作において、上記単純暖房運転から上記蓄熱暖房運転へ移行するタイミングに同期して上記圧縮機（22）の回転数を増大させ、該蓄熱暖房運転から上記単純暖房運転へ移行するタイミングに同期して上記圧縮機（22）の回転数を減少させることを特徴とする蓄熱式空気調和機。
【発明の詳細な説明】
【技術分野】
【０００１】
本発明は、蓄熱式空気調和機に関するものである。
【背景技術】
【０００２】
従来より、室内の冷房や暖房を行う空気調和機が知られている。特許文献１には、蓄熱媒体を用いた蓄熱式空気調和機が開示されている。この蓄熱式空気調和機は、圧縮機、室外熱交換器、及び室内熱交換器が接続された冷媒回路と、冷媒回路の冷媒と蓄熱媒体とを熱交換させる蓄熱部とを有している。
【０００３】
この蓄熱式空気調和機では、例えば単純冷房運転と利用冷房運転とが切り換えて行われる。単純冷房運転では、圧縮機で圧縮された冷媒が室外熱交換器で凝縮し、室内熱交換器で蒸発する一般的な冷凍サイクルが行われる。つまり、単純冷房運転では、冷媒が蓄熱部を通過せず、冷媒と蓄熱媒体とが熱交換しない。利用冷房運転では、圧縮機で圧縮された冷媒が室外熱交換器で凝縮した後、蓄熱部を通過する。蓄熱部では、低温の蓄熱媒体と冷媒とが熱交換し、冷媒が冷却される。このようにして過冷却された冷媒は、室内熱交換器で蒸発する。これにより、利用冷房運転では、冷房能力の向上ないし圧縮機の動力の低減が図られる。
【先行技術文献】
【特許文献】
【０００４】
【特許文献１】特開２００７−１７０８９号公報
【発明の概要】
【発明が解決しようとする課題】
【０００５】
特許文献１に記載のような蓄熱式空気調和機では、一般的な単純冷房運転や単純暖房運転（これらの運転を第１動作ともいう）と、冷媒が蓄熱媒体と熱交換する運転（これらの運転を第２動作ともいう）とが適宜切り換えて実行される。例えば、通常の単純冷房運転から利用冷房運転へと切り換えられると、冷媒が蓄熱部で冷却されるため、運転の切換直後には過渡的に冷房能力が過剰となる。この結果、圧縮機で無駄な動力を費やしてしまう。また、例えば利用冷房運転から通常の冷房運転へと切り換えられると、冷媒が蓄熱部で冷却されなくなるため、運転の切換直後には過渡的に冷房能力が不足してしまう。この結果、室内の快適性が損なわれてしまう。
【０００６】
以上のように、冷媒が蓄熱媒体と熱交換しない第１動作と、冷媒が蓄熱媒体と熱交換する第２動作とを相互に切り換えると、運転の切換直後には、空調能力が過剰となったり、不足したりするという問題が生じる。
【０００７】
本発明かかる点に鑑みてなされたものであり、第１動作と第２動作とを相互に切り換えた直後において、過渡的に空調能力が過剰となったり不足したりすることを未然に回避できる蓄熱式空気調和機を提供することである。
【課題を解決するための手段】
【０００８】
第１の発明は、蓄熱式空気調和機を対象とし、圧縮機（22）と、室外熱交換器（23）と、室内熱交換器（72）とが接続され、冷媒が循環して冷凍サイクルが行われる冷媒回路（11）と、冷却されることによって包接水和物が生成される蓄熱媒体と上記冷媒回路（11）の冷媒とを熱交換させる蓄熱部（63）と、上記冷媒回路（11）の冷媒が蓄熱部（63）の蓄熱媒体とが熱交換せずに上記冷凍サイクルが行われる第１動作と、上記冷媒回路（11）の冷媒が上記蓄熱部（63）を通過して上記冷凍サイクルが行われる第２動作とを切り換える運転制御部（100,200）とを備え、上記運転制御部（100,200）は、上記第１動作と第２動作とを相互に切り換える制御信号が入力される入力部（101）と、該入力部（101）に上記制御信号が入力されるタイミングに同期して上記圧縮機（22）の回転数を強制的に変更させる回転数制御動作を行う圧縮機制御部（104）とを備えていることを特徴とする。
【０００９】
第１の発明では、運転制御部（100,200）により、冷媒回路（11）で第１動作と第２動作とが切り換えて行われる。第１動作では、冷媒が蓄熱部（63）の蓄熱媒体と熱交換しない冷凍サイクルが行われる。このため、蓄熱部（63）では、冷媒が冷却又は加熱されることもない。これにより、第１動作では、例えば室内熱交換器（72）で冷媒が蒸発する単純冷房運転や、例えば室内熱交換器（72）で冷媒が凝縮する単純暖房運転が実行されることになる。
【００１０】
第２動作では、冷媒が蓄熱部（63）を通過しつつ冷凍サイクルが行われる。このため、蓄熱部（63）では、冷媒と蓄熱媒体とが熱交換し、冷媒が冷却又は加熱されたり、蓄熱媒体が冷却又は加熱されたりする。
【００１１】
第１動作と第２動作とが相互に切り換えられる際には、制御信号が入力部（101）に入力される。これにより、第１動作と第２動作とが相互に切り換えられる。一方、このように２つの動作を切り換えた直後には、これまで蓄熱媒体と熱交換しなかった冷媒が、蓄熱媒体と熱交換することとなり、過渡的に空調能力が過剰となったり不足したりすることがある。また、これまで蓄熱媒体と熱交換していた冷媒が、蓄熱媒体と熱交換しなくなることとなり、過渡的に空調能力が過剰となったり不足したりすることがある。
【００１２】
そこで、本発明では、入力部（101）に制御信号が入力されるタイミングに同期して、圧縮機制御部（104）が圧縮機（22）の回転数を強制的に変更させる。これにより、例えば空調能力が過剰となってしまう前に強制的に圧縮機（22）の回転数を低減させることができ、空調能力が過剰となることを未然に回避できる。また、例えば空調能力が不足してしまう前に強制的に圧縮機（22）の回転数を増大させることができ、空調能力が不足することを未然に回避できる。
【００１３】
第２の発明は、第１の発明において、上記圧縮機制御部（104）は、上記入力部（101）に制御信号が入力された後、上記運転制御部（100,200）が上記第１動作から第２動作へ又は該第２動作から第１動作へ切り換える前に、上記回転数制御動作を行うように構成されていることを特徴とする。
【００１４】
第２の発明では、入力部（101）に制御信号が入力されると、まず、圧縮機制御部（104）が圧縮機（22）の回転数を強制的に変更する回転数制御動作を行う。そして、冷媒回路（11）では、回転数制御動作が実行された後、第１動作から第２動作へ、又は第２動作から第１動作へ切り換えられる。このように、本発明では、２つの動作が切り換わる前に圧縮機（22）の回転数を速やかに変更するため、その後に２つの動作が切り換わった際、空調能力が過剰となる、あるいは不足してしまうことを確実に回避できる。
【００１５】
第３の発明は、第１又は第２の発明において、上記第１動作は、上記室外熱交換器（23）で冷媒が凝縮し、上記室内熱交換器（72）で冷媒が蒸発する単純冷房運転を含み、上記第２動作は、上記室外熱交換器（23）で冷媒が凝縮し、上記蓄熱部（63）で冷媒が冷却され、上記室内熱交換器（72）で冷媒が蒸発する利用冷房運転を含み、上記圧縮機制御部（104）は、上記回転数制御動作において、上記単純冷房運転から上記利用冷房運転へ移行するタイミングに同期して上記圧縮機（22）の回転数を低減させ、上記利用冷房運転から上記単純冷房運転へ移行するタイミングに同期して上記圧縮機（22）の回転数を増大させることを特徴とする。
【００１６】
第３の発明では、第１動作である単純冷房運転と第２動作である利用冷房運転とが相互に切り換えられる。単純冷房運転では、圧縮機（22）で圧縮された冷媒が室外熱交換器（23）で凝縮し、蓄熱部（63）の蓄熱媒体と熱交換せず、室内熱交換器（72）で蒸発する。この結果、室内空気が冷媒によって冷却され、室内の冷房が行われる。
【００１７】
利用冷房運転では、圧縮機（22）で圧縮された冷媒が室外熱交換器（23）で凝縮し、更に蓄熱部（63）を流れて冷却される。このように過冷却された冷媒は、室内熱交換器（72）で蒸発する。この結果、室内空気が冷媒によって冷却され、室内の冷房が行われる。利用冷房運転では、冷媒が過冷却されることで冷房能力が向上するため、圧縮機（22）の動力を削減できる。
【００１８】
第３の発明において、単純冷房運転から利用冷房運転へと移行すると、液冷媒の過冷却度が増大する。この結果、冷房能力が過渡的に過剰となり、省エネ性が損なわれる。また、圧縮機（22）に吸入される冷媒が湿り状態となり、いわゆる液バック現象を招く恐れがある。これに対し、圧縮機制御部（104）は、単純冷房運転から利用冷房運転へ移行するタイミングに同期して、圧縮機（22）の回転数を強制的に低減させる。この結果、利用冷房運転へ移行した際、冷房能力が過剰となることを回避できる。また、利用冷房運転へ移行した際、冷媒の循環量が減少するので、液バック現象を回避できる。
【００１９】
第３の発明において、利用冷房運転から単純冷房運転へと移行すると、液冷媒の過冷却度が小さくなる。この結果、冷房能力が不足してしまい、室内の快適性が損なわれる。これに対し、圧縮機制御部（104）は、利用冷房運転から単純冷房運転へ移行するタイミングに同期して、圧縮機（22）の回転数を強制的に増大させる。この結果、単純冷房運転へ移行した際、冷房能力が不足することを回避できる。
【００２０】
第４の発明は、第１乃至第３のいずれか１つにおいて、上記第１動作は、上記室外熱交換器（23）で冷媒が凝縮し、上記室内熱交換器（72）で冷媒が蒸発する単純冷房運転を含み、上記第２動作は、上記室外熱交換器（23）で冷媒が凝縮し、上記蓄熱部（63）及び上記室内熱交換器（72）で冷媒が蒸発する冷房蓄冷運転を含み、上記圧縮機制御部（104）は、上記回転数制御動作において、上記単純冷房運転から上記冷房蓄冷運転へ移行するタイミングに同期して上記圧縮機（22）の回転数を増大させ、該冷房蓄冷運転から上記単純冷房運転へ移行するタイミングに同期して上記圧縮機（22）の回転数を低減させることを特徴とする。
【００２１】
第４の発明では、第１動作である単純冷房運転と第２動作である冷房蓄冷運転とが相互に切り換えられる。単純冷房運転では、圧縮機（22）で圧縮された冷媒が室外熱交換器（23）で凝縮し、蓄熱部（63）の蓄熱媒体と熱交換せず、室内熱交換器（72）で蒸発する。この結果、室内空気が冷媒によって冷却され、室内の冷房が行われる。
【００２２】
冷房蓄冷運転では、圧縮機（22）で圧縮された冷媒が室外熱交換器（23）で凝縮し、蓄熱部（63）及び室内熱交換器（72）で蒸発する。この結果、室内空気が冷媒によって冷却され、室内の冷房が行われる。このように、冷房蓄冷運転では、室内の冷房が行われると同時に蓄熱媒体に、いわゆる冷熱が付与される。
【００２３】
第４の発明において、単純冷房運転から冷房蓄冷運転へ移行すると、冷媒が蓄熱部（63）と室内熱交換器（72）との双方で蒸発する。この結果、冷房能力が過渡的に不足し、室内の快適性が損なわれてしまう。これに対し、圧縮機制御部（104）は、単純冷房運転から冷房蓄冷運転へ移行するタイミングに同期して、圧縮機（22）の回転数を強制的に増大させる。この結果、冷媒蓄冷運転へ移行した際、冷房能力が不足することを回避できる。
【００２４】
第４の発明において、冷房蓄冷運転から単純冷房運転へ移行すると、冷媒は室内熱交換器（72）のみで蒸発する。この結果、冷房能力が過渡的に過剰となり、省エネ性が損なわれる。また、冷媒回路（11）では、冷房蓄冷運転と比較して冷媒の全体の蒸発量が小さくなるため、圧縮機（22）に吸入される冷媒が湿り状態となり、液バック現象を招く恐れがある。これに対し、圧縮機制御部（104）は、冷房蓄冷運転から単純冷房運転へ移行するタイミングに同期して、圧縮機（22）の回転数を強制的に低減させる。この結果、単純冷房運転へ移行した際、冷房能力が過剰となることを回避できる。また、単純冷房運転へ移行した際、冷媒の循環量が減少するので、液バック現象を回避できる。
【００２５】
第５の発明は、第１乃至第４のいずれか１つの発明において、上記第１動作は、上記室内熱交換器（72）で冷媒が凝縮し、上記室外熱交換器（23）で冷媒が蒸発する単純暖房運転を含み、上記第２動作は、上記室内熱交換器（72）で冷媒が凝縮し、上記蓄熱部（63）で冷媒が加熱され、上記室外熱交換器（23）で冷媒が蒸発する利用暖房運転を含み、上記圧縮機制御部（104）は、上記回転数制御動作において、上記単純暖房運転から上記利用暖房運転へ移行するタイミングに同期して上記圧縮機（22）の回転数を減少させ、該利用暖房運転から上記単純暖房運転へ移行するタイミングに同期して上記圧縮機（22）の回転数を増大させることを特徴とする。
【００２６】
第５の発明では、第１動作である単純暖房運転と第２動作である利用暖房運転とが相互に切り換えられる。単純暖房運転では、圧縮機（22）で圧縮された冷媒が室内熱交換器（72）で凝縮し、蓄熱部（63）の蓄熱媒体と熱交換せず、室外熱交換器（23）で蒸発する。このように単純暖房運転では、室内空気が冷媒によって加熱され、室内の暖房が行われる。
【００２７】
利用暖房運転では、圧縮機（22）で圧縮された冷媒が室内熱交換器（72）で凝縮し、蓄熱部（63）で蓄熱媒体と熱交換する。蓄熱部（63）では、蓄熱媒体によって冷媒が加熱される。冷媒は、室外熱交換器（23）で蒸発する。このように、利用暖房運転では、室内の暖房が行われると同時に蓄熱媒体の熱が室内の暖房に利用される。
【００２８】
第５の発明において、単純暖房運転から利用暖房運転へ移行すると、冷媒に蓄熱媒体の熱が付与される。この結果、暖房能力が過渡的に過剰となり、省エネ性が損なわれる。また、冷媒が蓄熱媒体に加熱されることで、冷媒の高圧圧力が過剰に高くなってしまう恐れがある。これに対し、圧縮機制御部（104）は、単純暖房運転から利用暖房運転へ移行するタイミングに同期して、圧縮機（22）の回転数を強制的に低減させる。この結果、利用暖房運転へ移行した際、暖房能力が過剰となることを回避できる。また、冷媒の高圧圧力が過剰に高くなることも回避できる。
【００２９】
第５の発明において、利用暖房運転から単純暖房運転へ移行すると、冷媒に蓄熱媒体の熱が付与されなくなる。この結果、暖房能力が過渡的に不足し、室内の快適性が損なわれる。これに対し、圧縮機制御部（104）は、利用暖房運転から単純暖房運転へ移行するタイミングに同期して、圧縮機（22）の回転数を強制的に増大させる。この結果、単純暖房運転へ移行した際、暖房能力が不足することを回避できる。
【００３０】
第６の発明は、第１乃至第５のいずれか１つの発明において、上記第１動作は、上記室内熱交換器（72）で冷媒が凝縮し、上記室外熱交換器（23）で冷媒が蒸発する単純暖房運転を含み、上記第２動作は、上記室内熱交換器（72）で冷媒が凝縮し、上記蓄熱部（63）で蓄熱媒体が加熱され、上記室外熱交換器（23）で冷媒が蒸発する蓄熱暖房運転を行うように構成され、上記圧縮機制御部（104）は、上記回転数制御動作において、上記単純暖房運転から上記蓄熱暖房運転へ移行するタイミングに同期して上記圧縮機（22）の回転数を増大させ、該蓄熱暖房運転から上記単純暖房運転へ移行するタイミングに同期して上記圧縮機（22）の回転数を減少させることを特徴とする。
【００３１】
第６の発明では、第１動作である単純暖房運転と第２動作である暖房蓄熱運転とが相互に切り換えられる。単純暖房運転では、圧縮機（22）で圧縮された冷媒が室内熱交換器（72）で凝縮し、蓄熱部（63）を流れずに、室外熱交換器（23）で蒸発する。このように、単純暖房運転では、室内空気が冷媒によって加熱され、室内の暖房が行われる。
【００３２】
暖房蓄熱運転では、圧縮機（22）で圧縮された冷媒が室内熱交換器（72）で凝縮し、蓄熱部（63）で蓄熱媒体と熱交換する。蓄熱部（63）では、冷媒によって蓄熱媒体が加熱される。冷媒は、室内熱交換器（72）で蒸発する。このように、暖房蓄熱運転では、室内の暖房が行われると同時に冷媒の熱が蓄熱媒体に付与される。
【００３３】
第６の発明において、単純暖房運転から暖房蓄熱運転へ移行すると、冷媒の熱が蓄熱媒体に付与される。この結果、暖房能力が過渡的に不足し、室内の快適性が損なわれる。これに対し、圧縮機制御部（104）は、単純暖房運転から暖房蓄熱運転へ移行するタイミングに同期して、圧縮機（22）の回転数を強制的に増大させる。この結果、暖房蓄熱運転へ移行した際、暖房能力が不足することを回避できる。
【００３４】
第６の発明において、暖房蓄熱運転から単純暖房運転へ移行すると、冷媒の熱が蓄熱媒体に付与されなくなる。この結果、暖房能力が過渡的に過剰となり、省エネ性が損なわれる。また、冷媒の温度ないし圧力が上昇することで、冷媒の高圧圧力が過剰に高くなってしまう恐れがある。これに対し、圧縮機制御部（104）は、暖房蓄熱運転から単純暖房運転へ移行するタイミングに同期して、圧縮機（22）の回転数を強制的に低減させる。この結果、暖房蓄熱運転へ移行した際、暖房能力が過剰となることを回避できる。また、冷媒の高圧圧力が過剰に高くなることも回避できる。
【発明の効果】
【００３５】
第１の発明によれば、冷媒が蓄熱媒体と熱交換しない第１動作と、冷媒が蓄熱媒体と熱交換する第２動作とを相互に切り換える際、このタイミングに同期して圧縮機（22）の回転数を強制的に変更するので、切換直後に空調能力が過剰となったり、不足したりするのを未然に回避できる。
【００３６】
第２の発明によれば、入力部（101）に制御信号が入力された後、第１動作と第２動作とを切り換える前に圧縮機（22）の回転数を変更するため、各動作が切り換わる前に圧縮機（22）の回転数を確実に所望とする回転数に変更できる。これにより、各動作の切換直後に空調能力が過剰となったり、不足したりするのを一層確実に防止できる。加えて、例えば圧縮機（22）に液冷媒が圧縮される液バック現象や、冷媒の高圧圧力の異常上昇も確実に回避できる。
【００３７】
第３の発明によれば、単純冷房運転から利用冷房運転へ移行する際、冷房能力が過剰となったり、液バック現象が生じたりするのを未然に回避できる。また、利用冷房運転から単純冷房運転へ移行する際、冷房能力が不足するのを未然に回避できる。
【００３８】
第４の発明によれば、単純冷房運転から冷房蓄冷運転へ移行する際、冷房能力が不足するのを未然に回避できる。また、冷房蓄冷運転から単純冷房運転へ移行する際、冷房能力が過剰となったり、液バック現象が生じたりするのを未然に回避できる。
【００３９】
第５の発明によれば、単純暖房運転から利用暖房運転へ移行する際、暖房能力が過剰となったり、冷媒の高圧圧力が異常上昇したりすることを未然に回避できる。また、利用暖房運転から単純暖房運転へ移行する際、暖房能力が不足するのを未然に回避できる。
【００４０】
第６の発明によれば、単純暖房運転から暖房蓄熱運転へ移行する際、暖房能力が不足するのを未然に回避できる。また、暖房蓄熱運転から単純暖房運転へ移行する際、暖房能力が過剰となったり、冷媒の高圧圧力が異常上昇したりすることを未然に回避できる。
【図面の簡単な説明】
【００４１】
【図１】図１は、実施形態に係る蓄熱式空気調和機の全体構成を示す配管系統図であり、他の図面では図示を省略したコントローラ及び各センサを表したものである。
【図２】図２は、単純冷房運転の動作を説明するための図１相当図である。
【図３】図３は、蓄冷運転の動作を説明するための図１相当図である。
【図４】図４は、利用冷房運転の動作を説明するための図１相当図である。
【図５】図５は、冷房蓄冷運転の動作を説明するための図１相当図である。
【図６】図６は、単純暖房運転の動作を説明するための図１相当図である。
【図７】図７は、蓄熱運転の動作を説明するための図１相当図である。
【図８】図８は、利用暖房運転（１）を説明するための図１相当図である。
【図９】図９は、利用暖房運転（２）を説明するための図１相当図である。
【図１０】図１０は、暖房蓄熱運転を説明するための図１相当図である。
【図１１】図１１は、単純冷房運転と利用冷房運転との間の切換に伴う回転数制御動作を説明するためのフローチャートである。
【図１２】図１２は、単純冷房運転と冷房蓄冷運転との間の切換に伴う回転数制御動作を説明するためのフローチャートである。
【図１３】図１３は、単純暖房運転と利用暖房運転（１）との間の切換に伴う回転数制御動作を説明するためのフローチャートである。
【図１４】図１４は、単純暖房運転と利用暖房運転（２）との間の切換に伴う回転数制御動作を説明するためのフローチャートである。
【図１５】図１５は、単純暖房運転と暖房蓄熱運転との間の切換に伴う回転数制御動作を説明するためのフローチャートである。
【発明を実施するための形態】
【００４２】
以下、本発明の実施形態を図面に基づいて詳細に説明する。なお、以下の実施形態は、本質的に好ましい例示であって、本発明、その適用物、あるいはその用途の範囲を制限することを意図するものではない。
【００４３】
《発明の実施形態》
本発明の実施形態に係る蓄熱式空気調和機（10）は、室内の冷房と暖房とを切り換えて行う。蓄熱式空気調和機（10）は、冷媒の冷熱を蓄熱媒体に蓄え、この冷熱を冷房に利用する。蓄熱式空気調和機（10）は、冷媒の温熱を蓄熱媒体に蓄え、この温熱を暖房に利用する。
【００４４】
〈全体構成〉
図１に示すように、蓄熱式空気調和機（10）は、室外ユニット（20）と、蓄熱ユニット（40）と、複数の室内ユニット（70）とを備えている。室外ユニット（20）及び蓄熱ユニット（40）は、室外に設置される。複数の室内ユニット（70）は、室内に設置される。なお、図１では便宜上、１台の室内ユニット（70）のみを図示している。
【００４５】
室外ユニット（20）には室外回路（21）が、蓄熱ユニット（40）には中間回路（41）が、室内ユニット（70）には室内回路（71）がそれぞれ設けられる。蓄熱式空気調和機（10）では、室外回路（21）と中間回路（41）とが３本の連絡配管（12,13,14）を介して互いに接続され、中間回路（41）と複数の室内回路（71）とが２本の連絡配管（15,16）を介して互いに接続される。これにより、蓄熱式空気調和機（10）では、充填された冷媒が循環して冷凍サイクルが行われる冷媒回路（11）が構成される。蓄熱式空気調和機（10）は、後述する各機器を制御するコントローラ（100,200）（運転制御部）を有している。
【００４６】
〈室外ユニット〉
室外ユニット（20）には、冷媒回路（11）の一部を成す室外回路（21）が設けられる。室外回路（21）には、圧縮機（22）、室外熱交換器（23）、室外膨張弁（24）、及び四方切換弁（25）が接続される。室外回路（21）には、第１過冷却回路（30）と、中間吸入管（35）とが接続されている。
【００４７】
〔圧縮機〕
実施形態の圧縮機（22）は、単段式の１台の圧縮機であり、冷媒を圧縮して吐出する圧縮部を構成している。圧縮機（22）では、ケーシング（22a）の内部にモータ及び圧縮機構（図示省略）が収容されている。実施形態の圧縮機構は、スクロール式の圧縮機構で構成されている。しかし、圧縮機構は、揺動ピストン式、ローリングピストン式、スクリュー式、ターボ式等の種々の方式を採用できる。圧縮機構では、渦巻き状の固定スクロールと可動スクロールの間に圧縮室が形成され、この圧縮室の容積が徐々に小さくなることで冷媒が圧縮される。圧縮機（22）のモータは、インバータ部によって運転周波数が可変に構成されている。つまり、圧縮機（22）は、回転数（容量）が可変なインバータ式の圧縮機である。
【００４８】
〔室外熱交換器〕
室外熱交換器（23）は、例えばクロスフィン・アンド・チューブ式の熱交換器で構成されている。室外熱交換器（23）の近傍には、室外ファン（26）が設けられている。室外熱交換器（23）では、室外ファン（26）が搬送する空気と、室外熱交換器（23）を流れる冷媒とが熱交換する。
【００４９】
〔室外膨張弁〕
室外膨張弁（24）は、室外熱交換器（23）の液側端部と連絡配管（12）の接続端の間に配置されている。室外膨張弁（24）は、例えば電子膨張弁で構成され、その開度を変更することで冷媒の流量を調節する。
【００５０】
〔四方切換弁〕
四方切換弁（25）は、第１から第４までのポートを有している。四方切換弁（25）の第１ポートは、圧縮機（22）の吐出管（27）に接続され、四方切換弁（25）の第２ポートは、圧縮機（22）の吸入管（28）（低圧吸入部）に接続されている。四方切換弁（25）の第３ポートは、室外熱交換器（23）のガス側端部に繋がり、四方切換弁（25）の第４ポートは、連絡配管（14）の接続端に繋がっている。
【００５１】
四方切換弁（25）は、第１ポートと第３ポートが連通し且つ第２ポートと第４ポートが連通する状態（図１の実線で示す第１の状態）と、第１ポートと第４ポートが連通し且つ第２ポートと第３ポートが連通する状態（図１の破線で示す第２の状態）とに切換可能に構成されている。
【００５２】
〔第１過冷却回路〕
第１過冷却回路（30）は、第１導入管（31）と第１過冷却熱交換器（32）とを有している。第１導入管（31）の一端は、室外膨張弁（24）と連絡配管（12）の接続端との間に接続される。第１導入管（31）の他端は、圧縮機（22）の吸入管（28）に接続される。つまり、第１導入管（31）は、液ライン（L1）と圧縮機（22）の低圧側の吸入管（28）とを繋ぐ低圧導入管を構成している。ここで、液ライン（L1）は、室外熱交換器（23）の液側端部と室内熱交換器（72）の液側端部に亘るまでの流路である。第１導入管（31）には、その一端から他端に向かって順に、第１減圧弁（EV1）、第１伝熱流路（33）が接続されている。第１減圧弁（EV1）は、例えば電子膨張弁で構成され、その開度を変更することで第２伝熱流路（34）の出口の冷媒の過冷却度を調節する。第１過冷却熱交換器（32）は、第２伝熱流路（34）を流れる冷媒と、第１伝熱流路（33）を流れる冷媒とを熱交換させる第１熱交換器を構成する。第２伝熱流路（34）は、冷媒回路（11）の液ライン（L1）のうち、室外膨張弁（24）と連絡配管（12）の接続端との間に設けられる。
【００５３】
〔中間吸入管〕
中間吸入管（35）は、中間圧の冷媒を圧縮機（22）の圧縮室の圧縮途中に導入する中間吸入部を構成している。中間吸入管（35）の始端は、連絡配管（13）の接続端に接続され、中間吸入管（35）の終端は、圧縮機（22）の圧縮機構の圧縮室に接続されている。中間吸入管（35）は、圧縮機（22）のケーシング（22a）の内部に位置する内側配管部（36）を有している。中間吸入管（35）の内圧は、基本的に、冷媒回路（11）の高圧と低圧の間の中間圧力に相当する。中間吸入管（35）には、上流側から下流側に向かって順に、第１電磁弁（SV1）、逆止弁（CV1）が接続される。第１電磁弁（SV1）は、流路を開閉する開閉弁である。逆止弁(CV1)は、主蓄熱用流路（44）（詳細は後述する）から圧縮機（22）へ向かう方向（図１の矢印方向）の冷媒の流れを許容し、圧縮機（22）から主蓄熱用流路（44）へ向かう方向の冷媒の流れを禁止する。
【００５４】
〈蓄熱ユニット〉
蓄熱ユニット（40）は、室外ユニット（20）と室内ユニット（70）に介在する中継ユニットを構成している。蓄熱ユニット（40）には、冷媒回路（11）の一部を成す中間回路（41）が設けられる。中間回路（41）には、主液管（42）、主ガス管（43）、及び主蓄熱用流路（44）が接続されている。中間回路（41）には、第２過冷却回路（50）が接続されている。蓄熱ユニット（40）には、蓄熱装置（60）が設けられる。
【００５５】
〔主液管〕
主液管（42）は、液ライン（L1）の一部を構成している。主液管（42）は、連絡配管（12）の接続端と連絡配管（15）の接続端とを接続している。主液管（42）には、第２電磁弁（SV2）が接続される。第２電磁弁（SV2）は、流路を開閉する開閉弁である。主液管（42）は、単純暖房運転（１）において、室内熱交換器（72）で凝縮した冷媒が蓄熱用熱交換器（63）をバイパスして室外熱交換器（23）へ送る第２バイパス流路を構成している。
【００５６】
〔主ガス管〕
主ガス管（43）は、ガスライン（L2）の一部を構成している。ここで、ガスライン（L2）は、四方切換弁（25）の第４ポートから室内熱交換器（72）のガス側端部に亘るまでの流路である。主ガス管（43）は、連絡配管（14）の接続端と連絡配管（16）の接続端とを連結している。
【００５７】
〔主蓄熱用流路〕
主蓄熱用流路（44）は、主液管（42）と主ガス管（43）との間に接続されている。主蓄熱用流路（44）の一端は、連絡配管（12）の接続端と第２電磁弁（SV2）の間に接続されている。主蓄熱用流路（44）には、主液管（42）側から主ガス管（43）側に向かって順に、第３電磁弁（SV3）、予熱側冷媒流路（64b）、蓄熱用膨張弁（45）、蓄熱側冷媒流路（63b）、第４電磁弁（SV4）が接続されている。第３電磁弁（SV3）及び第４電磁弁（SV4）は、流路を開閉する開閉弁である。蓄熱用膨張弁（45）は、例えば電子膨張弁で構成され、その開度を変更することで冷媒の圧力を調節する。
【００５８】
主蓄熱用流路（44）には、蓄熱用膨張弁（45）をバイパスする第１バイパス管（44a）が接続されている。第１バイパス管（44a）には、蓄熱用膨張弁（45）と並列に第５電磁弁（SV5）が接続されている。第５電磁弁（SV5）は、流路を開閉する開閉弁である。また、主蓄熱用流路（44）には、蓄熱用膨張弁（45）と並列に圧力逃がし弁（RV）が接続されている。
【００５９】
主蓄熱用流路（44）は、暖房蓄熱運転（１）において、高圧冷媒が上記室内熱交換器（72）をバイパスして蓄熱用熱交換器（63）へ流れる第１バイパス流路を構成している。
【００６０】
〔第２過冷却回路〕
第２過冷却回路（50）は、第２導入管（51）と第２過冷却熱交換器（52）とを有している。第２導入管（51）の一端は、第２電磁弁（SV2）と連絡配管（15）の接続端との間に接続される。第２導入管（51）の他端は、主ガス管（43）に接続される。主ガス管（43）において、第２導入管（51）の接続部は、主蓄熱用流路（44）の接続部と連絡配管（16）の接続端の間に位置している。第２導入管（51）には、その一端から他端に向かって順に、第２減圧弁（EV2）、第３伝熱流路（53）が接続されている。第２減圧弁（EV2）は、例えば電子膨張弁で構成され、その開度を変更することで第４伝熱流路（54）の出口の冷媒の過冷却度を調節する。第２過冷却熱交換器（52）は、第４伝熱流路（54）を流れる冷媒と、第３伝熱流路（53）を流れる冷媒とを熱交換させる。第４伝熱流路（54）は、主液管（42）のうち第２電磁弁（SV2）と連絡配管（15）の接続端の間に設けられる。第２過冷却回路（50）は、詳細は後述する利用冷房運転や利用蓄冷運転において、連絡配管（15）を流れる冷媒が気化してフラッシュするのを防止するための過冷却器を構成する。
【００６１】
〔その他の配管〕
中間回路（41）には、中間中継管（46）と、第１分岐管（47）と、第２分岐管（48）と、第３分岐管（49）とが接続される。中間中継管（46）の一端は、主蓄熱用流路（44）における第３電磁弁（SV3）と予熱側冷媒流路（64b）との間に接続される。中間中継管（46）の他端は、連絡配管（13）を介して中間吸入管（35）と接続している。第１分岐管（47）の一端は、主蓄熱用流路（44）における蓄熱側冷媒流路（63b）と第４電磁弁（SV4）との間に接続される。
【００６２】
第１分岐管（47）の他端は、主ガス管（43）における主蓄熱用流路（44）の接続部と第２導入管（51）の接続部との間に接続される。第１分岐管（47）には、第３減圧弁（EV3）が接続される。第３減圧弁（EV3）は、例えば電子膨張弁で構成され、その開度を変更することで冷媒の圧力を調節する。第３減圧弁（EV3）は、室内熱交換器（72）が蒸発器となる運転時において、連絡配管（16）の圧力損失や室内ユニット（70）と室外ユニット（20）の設置条件によるヘッド差に起因して、室内熱交換器（72）の蒸発圧力とガス管の圧力差により、蓄熱用熱交換器（63）の圧力が過剰に低くならないように、その開度が調節される。 
【００６３】
第２分岐管（48）と第３分岐管（49）とは、主液管（42）と主蓄熱用流路（44）との間に並列に接続されている。第２分岐管（48）及び第３分岐管（49）の一端は、主蓄熱用流路（44）における蓄熱側冷媒流路（63b）と第４電磁弁（SV4）との間に接続される。第２分岐管（48）及び第３分岐管（49）の他端は、主液管（42）における第２電磁弁（SV2）と第２導入管（51）の接続部との間に接続される。第２分岐管（48）には、第４減圧弁（EV4）が接続される。第４減圧弁（EV4）は、例えば電子膨張弁で構成され、その開度を変更することで冷媒の圧力を調節する。第３分岐管（49）には、第６電磁弁（SV6）が接続されている。第６電磁弁（SV6）は、流路を開閉する開閉弁である。
【００６４】
第３分岐管（49）は、暖房蓄熱運転（１）において、室内熱交換器（72）と蓄熱用熱交換器（63）とを繋ぐ直列流路を構成している。
【００６５】
[蓄熱装置]
蓄熱装置（60）は、冷媒回路（11）の冷媒と蓄熱媒体とを熱交換させる蓄熱部を構成している。蓄熱装置（60）は、蓄熱回路（61）と、該蓄熱回路（61）に接続される蓄熱タンク（62）とを有している。蓄熱装置（60）は、蓄熱用熱交換器（63）及び予熱用熱交換器（64）を有している。
【００６６】
蓄熱回路（61）は、充填された蓄熱媒体が循環する閉回路である。蓄熱タンク（62）は、中空筒状の容器である。蓄熱タンク（62）は開放容器であってもよい。蓄熱タンク（62）には、蓄熱媒体が貯留される。蓄熱タンク（62）の上部には、蓄熱タンク（62）内の蓄熱媒体を流出させる流出管（65）（流出部）が接続される。蓄熱タンク（62）の下部には、蓄熱タンク（62）の外部の蓄熱媒体を蓄熱タンク（62）内に流入させる流入管（66）（流入部）が接続される。つまり、蓄熱タンク（62）では、流出管（65）の接続部が流入管（66）の接続部よりも高い位置にある。蓄熱回路（61）には、流出管（65）から流入管（66）に向かって順に、予熱側蓄熱流路（64a）、ポンプ（67）、蓄熱側蓄熱流路（63a）が接続されている。
【００６７】
予熱用熱交換器（64）は、予熱側蓄熱流路（64a）を流れる蓄熱媒体と、予熱側冷媒流路（64b）を流れる冷媒とを熱交換させる。蓄熱用熱交換器（63）は、蓄熱側蓄熱流路（63a）を流れる蓄熱媒体と、蓄熱側冷媒流路（63b）を流れる冷媒とを熱交換させる蓄熱部を構成している。ポンプ（67）は、蓄熱回路（61）の蓄熱媒体を循環させる。
【００６８】
[蓄熱媒体]
蓄熱回路（61）に充填される蓄熱媒体について詳細に説明する。蓄熱媒体には、冷却によって包接水和物が生成される蓄熱材、即ち流動性を有する蓄熱材が採用される。蓄熱媒体の具体例としては、臭化テトラｎブチルアンモニウムを含有する臭化テトラｎブチルアンモニウム（TBAB：Tetra Butyl Ammonium Bromide）水溶液、トリメチロールエタン（TME：Trimethylolethane）水溶液、パラフィン系スラリーなどが挙げられる。例えば、臭化テトラｎブチルアンモニウム水溶液は、安定的に冷却されて当該水溶液の温度が水和物生成温度よりも低くなった過冷却状態でもその水溶液の状態を維持するが、この過冷却状態にて何らかのきっかけが与えられると、過冷却の溶液が包接水和物を含んだ溶液（即ちスラリー）へと遷移する。即ち、臭化テトラｎブチルアンモニウム水溶液は、過冷却状態を解消して、臭化テトラｎブチルアンモニウムと水分子とからなる包接水和物（水和物結晶）が生成されて粘性の比較的高いスラリー状となる。ここで、過冷却状態とは、蓄熱媒体が水和物生成温度以下の温度となっても包接水和物が生成されずに溶液の状態を保っている状態を言う。逆に、スラリー状となっている臭化テトラｎブチルアンモニウム水溶液は、加熱により当該水溶液の温度が水和物生成温度よりも高くなると、包接水和物が融解して流動性の比較的高い液状態（溶液）となる。
【００６９】
本実施形態では、上記蓄熱媒体として、臭化テトラｎブチルアンモニウムを含有する臭化テトラｎブチルアンモニウム水溶液を採用している。特に、上記蓄熱媒体は、調和濃度の近傍の濃度を有する媒体であることが好ましい。本実施形態では、調和濃度を約４０％とする。この場合の臭化テトラｎブチルアンモニウム水溶液の水和物生成温度は、約１２℃である。
【００７０】
〈室内ユニット〉
複数の室内ユニット（70）には、冷媒回路（11）の一部を成す室内回路（71）がそれぞれ設けられる。複数の室内回路（71）は、連絡配管（15）（液管）と連絡配管（16）（ガス管）との間に並列に接続されている。複数の室内回路（71）と上述した主蓄熱用流路（44）とは、液ライン（L1）とガスライン（L2）の間に並列に接続されている。各室内回路（71）には、ガス側端部から液側端部に向かって順に、室内熱交換器（72）と室内膨張弁（73）とがそれぞれ接続されている。
【００７１】
〔室内熱交換器〕
室内熱交換器（72）は、例えばクロスフィン・アンド・チューブ式の熱交換器で構成されている。室内熱交換器（72）の近傍には、室内ファン（74）が設けられている。室内熱交換器（72）では、室内ファン（74）が搬送する空気と、室内熱交換器（72）を流れる冷媒とが熱交換する。
【００７２】
〔室内膨張弁〕
室内膨張弁（73）は、室内熱交換器（72）の液側端部と連絡配管（15）の接続端の間に配置されている。室内膨張弁（73）は、例えば電子膨張弁で構成され、その開度を変更することで冷媒の流量を調節する。
【００７３】
〈センサ〉
蓄熱式空気調和機（10）は、各種のセンサ（S1〜S4）を備えている。なお、これらのセンサ（S1〜S4）は、便宜上、図１のみに図示し、残りの図での図示は省略している。
【００７４】
第１温度センサ（S1）は、室外熱交換器（23）と室外膨張弁（24）との間の液流路に接続されている。第１温度センサ（S1）は、詳細は後述する単純冷房運転及び利用冷房運転において、室外熱交換器（23）を流出した冷媒の温度を検出する。
【００７５】
第２温度センサ（S2）は、蓄熱用熱交換器（63）の蓄熱側冷媒流路（63b）と第３分岐管（49）との間の液流路に接続されている。第２温度センサ（S2）は、利用冷房運転において、蓄熱用熱交換器（63）を流出した冷媒の温度を検出する。第１温度センサ（S1）及び第２温度センサ（S2）は、利用冷房運転において、高圧冷媒の過冷却度を検出する過冷却度検出部を構成する。
【００７６】
第３温度センサ（S3）は、蓄熱用熱交換器（63）の蓄熱側蓄熱流路（63a）に接続されている。第３温度センサ（S3）は、蓄熱側蓄熱流路（63a）を流れる蓄熱媒体の温度を検出する。第３温度センサ（S3）は、詳細は後述する利用暖房運転において、蓄熱側蓄熱流路（63a）を流れる冷媒の蒸発圧力を検出する蓄熱側蒸発圧力検出部を構成する。
【００７７】
第４温度センサ（S4）は、室外熱交換器（23）の近傍に配置されている。第４温度センサ（S5）は、室外空気の温度を検出する外気温度検出部を構成する。また、第４温度センサ（S5）は、詳細は後述する単純暖房運転、利用暖房運転、暖房蓄熱運転において、室外熱交換器（23）の蒸発圧力を間接的に検出するための外気側蒸発圧力検出部を構成する。    
【００７８】
〈コントローラ〉
図１に示すように、本実施形態のコントローラ（運転制御部）は、第１コントローラ部（100）と、第２コントローラ部（200）とで構成されている。第１コントローラ部（100）は、室外ユニット（20）に設けられ、第２コントローラ部（200）は、蓄熱ユニット（40）に設けられる。
【００７９】
第１コントローラ部（100）は、室外ユニット（20）の各要素機器（圧縮機（22）、電磁弁（SV1）、四方切換弁（25）等を制御する。第２コントローラ部（200）は、タンクユニット（40）の各要素機器（SV2〜SV6、EV2、EV3）を制御する。なお、第１コントローラ部（100）と第２コントローラ部（200）を１つのコントローラにより構成してもよい。また、コントローラ（100,200）は、便宜上、図１のみに図示し、残りの図での図示は省略している。
【００８０】
第１コントローラ部（100）は、入力部（101）と記憶部（102）と演算処理部（103）と圧縮機制御部（104）とを備えている。
【００８１】
入力部（101）には、蓄熱式空気調和機（10）の各運転を切り換えるための制御信号（例えばデマンドレスポンス信号）が入力される。
【００８２】
記憶部（102）には、蓄熱式空気調和機（10）の各運転の切換の際に圧縮機（22）の回転数を変更するのに用いる各種のデータが記憶されている。
【００８３】
演算処理部（103）は、蓄熱式空気調和機（10）の各運転の切換の際に現在の圧縮機（22）の回転数Rcを強制的に変更するための目標回転数Rtを演算して決定する。
【００８４】
圧縮機制御部（104）は、各運転の切換のタイミングに同期して圧縮機（22）の回転数Rcを目標回転数Rｔに変更するように圧縮機（22）の制御（回転数制御動作）を行うように構成される。本実施形態の圧縮機制御部（104）は、入力部（101）に制御信号が入力された後、蓄熱式空気調和機（10）の各運転の切換が行われる直前に圧縮機（22）の回転数を強制的に制御する。このような各運転の切換の際の回転数制御動作の詳細は後述する。
【００８５】
なお、入力部（101）、記憶部（102）、演算処理部（103）、及び圧縮機制御部（104）を第２コントローラ部（200）側に設ける構成としてもよい。
【００８６】
〈蓄熱式空気調和機の運転動作〉
実施形態に係る蓄熱式空気調和機（10）の運転動作について説明する。蓄熱式空気調和機（10）は、単純冷房運転、蓄冷運転、利用冷房運転、冷房蓄冷運転、単純暖房運転、蓄熱運転、利用暖房運転、及び暖房蓄熱運転を切り換えて行う。コントローラ（100,200）は、これらの各運転を切り換えるように、各機器を制御する。
【００８７】
単純冷房運転及び単純暖房運転は、本開示の態様の第１動作を構成する。利用冷房運転、冷房蓄冷運転、利用暖房運転（１）（２）、及び暖房蓄熱運転は、本開示の態様の第２動作を構成する。
【００８８】
〔単純冷房運転〕
単純冷房運転では、蓄熱装置（60）が停止し、室内ユニット（70）で室内の冷房が行われる。図２に示す単純冷房運転では、四方切換弁（25）が第１状態に、第１電磁弁（SV1）から第６電磁弁（SV6）のうち第２電磁弁（SV2）、第４電磁弁（SV4）、及び第５電磁弁（SV5）が開状態になり、残りは閉状態になる。第２減圧弁（EV2）及び第４減圧弁（EV4）が全閉状態に、室外膨張弁（24）が全開状態に、第１減圧弁（EV1）及び室内膨張弁（73）の開度が適宜調節される。圧縮機（22）、室外ファン（26）、及び室内ファン（74）は作動する。蓄熱装置（60）は、ポンプ（67）が停止状態となり作動しない。単純冷房運転の冷媒回路（11）では、室外熱交換器（23）が凝縮器となり、第１過冷却熱交換器（32）が過冷却器となり、室内熱交換器（72）が蒸発器となる冷凍サイクルが行われる。単純冷房運転では、低圧側のガスライン（L2）と主蓄熱用流路（44）とが連通する。これにより、主蓄熱用流路（44）の内部での液溜まりを回避できる。
【００８９】
圧縮機（22）から吐出された冷媒は、室外熱交換器（23）で凝縮する。凝縮した冷媒の多くは、第２伝熱流路（34）を流れ、残りは第１減圧弁（EV1）で減圧された後、第１伝熱流路（33）を流れる。第１過冷却熱交換器（32）では、第２伝熱流路（34）の冷媒が第１伝熱流路（33）の冷媒によって冷却される。液ライン（L1）に流入した冷媒は、室内膨張弁（73）で減圧された後、室内熱交換器（72）で蒸発する。ガスライン（L2）を流れる冷媒は、第１導入管（31）を流入した冷媒と合流し、圧縮機（22）に吸入される。
【００９０】
〔蓄冷運転〕
蓄冷運転では、蓄熱装置（60）が作動し、蓄熱タンク（62）の蓄熱媒体に冷熱が蓄えられる。図３に示す蓄冷運転では、四方切換弁（25）が第１状態に、第１電磁弁（SV1）から第６電磁弁（SV6）のうち第２電磁弁（SV2）、第３電磁弁（SV3）、及び第４電磁弁（SV4）が開状態になり、残りは閉状態になる。第１減圧弁（EV1）、第２減圧弁（EV2）、第３減圧弁（EV3）、第４減圧弁（EV4）、及び室内膨張弁（73）が全閉状態に、室外膨張弁（24）が全開状態に、蓄熱用膨張弁（45）の開度が適宜調節される。圧縮機（22）、室外ファン（26）は作動し、室内ファン（74）は停止する。蓄熱装置（60）は、ポンプ（67）が運転状態となり作動する。蓄冷運転の冷媒回路（11）では、室外熱交換器（23）が凝縮器となり、予熱用熱交換器（64）が放熱器（冷媒冷却器）となり、蓄熱用熱交換器（63）が蒸発器となる冷凍サイクルが行われる。蓄冷運転では、高圧の液ライン（L1）から室内ユニット（70）までに亘る流路に余剰の冷媒を保持することができる。
【００９１】
圧縮機（22）から吐出された冷媒は、室外熱交換器（23）で凝縮する。凝縮した冷媒は、主蓄熱用流路（44）の予熱側冷媒流路（64b）を流れる。予熱用熱交換器（64）では、蓄熱媒体が冷媒によって加熱される。これにより、蓄熱タンク（62）から流出した包接水和物の核（微小な結晶）が融解する。予熱側冷媒流路（64b）で冷却された冷媒は、予熱用熱交換器（64）で減圧された後、蓄熱側冷媒流路（63b）を流れる。蓄熱用熱交換器（63）では、蓄熱媒体が冷媒によって冷却され、蒸発する。主蓄熱用流路（44）からガスライン(L2）に流入した冷媒は、圧縮機（22）に吸入される。蓄熱タンク（62）には、蓄熱用熱交換器（63）で冷却された蓄熱媒体が貯留される。
【００９２】
〔利用冷房運転〕
利用冷房運転では、蓄熱装置（60）が作動し、蓄熱タンク（62）に蓄えられた蓄熱媒体の冷熱が、室内の冷房に利用される。図４に示す利用冷房運転では、四方切換弁（25）が第１状態に第１電磁弁（SV1）から第６電磁弁（SV6）のうち第３電磁弁（SV3）、第５電磁弁（SV5）、及び第６電磁弁（SV6）が開状態になり、残りは閉状態となる。第１減圧弁（EV1）、第４減圧弁（EV4）が全閉状態に、室外膨張弁（24）が全開状態に、第２減圧弁（EV2）及び室内膨張弁（73）の開度が適宜調節される。圧縮機（22）、室外ファン（26）、及び室内ファン（74）は作動する。蓄熱装置（60）は、ポンプ（67）が運転状態となり作動する。利用冷房運転の冷媒回路（11）では、室外熱交換器（23）が凝縮器となり、予熱用熱交換器（64）、蓄熱用熱交換器（63）、及び第２過冷却熱交換器（52）が放熱器（冷媒冷却器）となり、室内熱交換器（72）が蒸発器となる冷凍サイクルが行われる。
【００９３】
圧縮機（22）から吐出された冷媒は、室外熱交換器（23）で凝縮する。凝縮した冷媒は、主蓄熱用流路（44）の予熱用熱交換器（64）で冷却され、第１バイパス管（44a）を通過した後、蓄熱用熱交換器（63）で更に冷却される。主蓄熱用流路（44）、第３分岐管（49）を流れて液ライン（L1）に流入した冷媒の多くは、第４伝熱流路（54）を流れ、残りは第２減圧弁（EV2）で減圧された後、第３伝熱流路（53）を流れる。第２過冷却熱交換器（52）では、第４伝熱流路（54）を流れる冷媒が第３伝熱流路（53）の冷媒によって冷却される。第２過冷却熱交換器（52）で冷却された冷媒は、室内膨張弁（73）で減圧された後、室内熱交換器（72）で蒸発する。ガスライン（L2）を流れる冷媒は、第２導入管（51）を流出した冷媒と合流し、圧縮機（22）に吸入される。
【００９４】
〔冷房蓄冷運転〕
冷房蓄冷運転では、蓄熱装置（60）が作動し、蓄熱媒体に冷熱が蓄えられるとともに、室内ユニット（70）で室内の冷房が行われる。図５に示す冷房蓄冷運転では、四方切換弁（25）が第1状態に、第１電磁弁（SV1）から第６電磁弁(SV6)のうち第２電磁弁（SV2）、第３電磁弁（SV3）、及び第４電磁弁（SV4）が開状態になり、残りは閉状態となる。第1減圧弁（EV1）、第３減圧弁（EV3）、及び第４減圧弁（EV4）が全閉状態に、室外膨張弁（24）が全開状態に、第２減圧弁（EV2）、蓄熱用膨張弁（45）、及び室内膨張弁（73）の開度が適宜調節される。圧縮機（22）、室外ファン（26）及び室内ファン（74）は作動する。蓄熱装置（60）は、ポンプ（67）が運転状態となり作動する。冷房蓄冷運転の冷媒回路（11）では、室外熱交換器（23）が凝縮器となり、予熱用熱交換器（64）及び第２過冷却熱交換器（52）が放熱器（冷媒冷却器）となり、蓄熱用熱交換器（63）及び室内熱交換器（72）が蒸発器となる。
【００９５】
圧縮機（22）から吐出された冷媒は、室外熱交換器（23）で凝縮する。凝縮した冷媒は、第２伝熱流路（34）を流れ、主蓄熱用流路（44）と主液管（42）とに分流する。主蓄熱用流路（44）の冷媒は、予熱用熱交換器（64）の蓄熱媒体によって冷却され、蓄熱用膨張弁（45）で減圧される。主液管（42）の冷媒の多くは、第４伝熱流路（54）を流れ、残りは第２減圧弁（EV2）で減圧された後、第３伝熱流路（53）を流れる。第２過冷却熱交換器（52）では、第４伝熱流路（54）を流れる冷媒が第３伝熱流路（53）の冷媒によって冷却される。第２過冷却熱交換器（52）で冷却された冷媒は、室内膨張弁（73）で減圧された後、室内熱交換器（72）で蒸発する。ガスライン（L2）を流れる冷媒は、第２導入管（51）を流出した冷媒と合流し、圧縮機（22）に吸入される。
【００９６】
〔単純暖房運転〕
単純暖房運転では、蓄熱装置（60）が停止し、室内ユニット（70）で室内の暖房が行われる。図６に示す単純暖房運転では、四方切換弁（25）が第２状態に、第１電磁弁（SV1）から第６電磁弁（SV6）のうち第２電磁弁（SV2）が開状態となり、残りは全て閉状態なる。第１減圧弁（EV1）、第２減圧弁（EV2）、第３減圧弁（EV3）、第４減圧弁（EV4）、及び蓄熱用膨張弁（45）が全閉状態に、室内膨張弁（73）及び室外膨張弁（24）の開度が適宜調節される。圧縮機（22）、室外ファン（26）、及び室内ファン（74）は作動する。蓄熱装置（60）は、ポンプ（67）が停止状態となり作動しない。単純暖房運転の冷媒回路（11）では、室内熱交換器（72）が凝縮器となり、室外熱交換器（23）が蒸発器となる冷凍サイクルが行われる。室内膨張弁（73）は、室内熱交換器（72）の出口冷媒の過冷却度を制御する。
【００９７】
圧縮機（22）から吐出された冷媒は、ガスライン（L2）を流れ、室内熱交換器（72）で凝縮する。液ライン（L1）に流出した冷媒は、室外膨張弁（24）で減圧された後、室外熱交換器（23）で蒸発し、圧縮機（22）に吸入される。
【００９８】
〔蓄熱運転〕
蓄熱運転では、蓄熱タンク（62）に温熱を蓄えた蓄熱媒体が貯留される。図７に示す蓄熱運転では、四方切換弁（25）が第２状態に、第１電磁弁（SV1）から第６電磁弁（SV6）のうち第３電磁弁（SV3）、第４電磁弁（SV4）、及び第５電磁弁（SV5）が開状態になり、残りは閉状態となる。第１減圧弁（EV1）、第２減圧弁（EV2）、第３減圧弁（EV3）、第４減圧弁（EV4）、及び室内膨張弁（73）が全閉状態に、室外膨張弁（24）の開度が適宜調節される。圧縮機（22）、室外ファン（26）は作動し、室内ファン（74）は停止する。蓄熱装置（60）は、ポンプ（67）が運転状態となり作動する。蓄熱運転の冷媒回路（11）では、蓄熱用熱交換器（63）及び予熱用熱交換器（64）が凝縮器となり、室外熱交換器（23）が蒸発器となる冷凍サイクルが行われる。
【００９９】
圧縮機（22）から吐出された冷媒は、ガスライン（L2）を流れ、蓄熱用熱交換器（63）で放熱し、第１バイパス管（44a）を通過した後、予熱用熱交換器（64）で更に放熱する。主蓄熱用流路（44）を流出した冷媒は、室外膨張弁（24）で減圧された後、室外熱交換器（23）で蒸発し、圧縮機（22）に吸入される。蓄熱タンク（62）には、蓄熱用熱交換器（63）及び予熱用熱交換器（64）で加熱された蓄熱媒体が貯留される。
【０１００】
〔利用暖房運転〕
利用暖房運転では、蓄熱装置（60）が作動し、蓄熱タンク（62）に蓄えられた蓄熱媒体の温熱が、室内の暖房に利用される。利用暖房運転は、第１利用暖房運転（以下、利用暖房運転（１）という）と、第２利用暖房運転（以下、利用暖房運転（２）という）とに大別される。
【０１０１】
[利用暖房運転（１）]
利用暖房運転（１）は、蓄熱用熱交換器（63）で蒸発する冷媒の圧力（ＭＰ）と、室外熱交換器（23）で蒸発する冷媒の圧力（ＬＰ）との差（ＭＰ−ＬＰ）が比較的小さくなるような条件下で実行される。例えば冬季において、外気温度が比較的高い一方、蓄熱装置（60）の蓄熱回路（61）の蓄熱媒体の温度が比較的低いような場合が、この条件に相当する。
【０１０２】
図８に示す利用暖房運転（１）では、四方切換弁（25）が第２状態に、第１電磁弁（SV1）から第６電磁弁（SV6）のうち第３電磁弁（SV3）及び第５電磁弁（SV5）が開状態になり、残りが閉状態となる。第１減圧弁（EV1）及び室外膨張弁（24）が全開状態に、第２減圧弁（EV2）、第３減圧弁（EV3）が全閉状態に、第４減圧弁（EV4）及び室内膨張弁（73）の開度が適宜調節される。圧縮機（22）及び室内ファン（74）は作動し、室外ファン（26）は停止する。蓄熱装置（60）は、ポンプ（67）が運転状態となり作動する。利用暖房運転（１）の冷媒回路（11）では、室内熱交換器（72）が凝縮器となり、蓄熱用熱交換器（63）が蒸発器となる冷凍サイクルが行われる。
【０１０３】
圧縮機（22）から吐出された冷媒は、ガスライン（L2）を流れ、室内熱交換器（72）で凝縮する。液ライン（L1）に流出した冷媒は、その全量が第２分岐管（48）に流入する。第２分岐管（48）では、第４減圧弁（EV4）によって冷媒が低圧まで減圧される。減圧された冷媒は、蓄熱用熱交換器（63）の蓄熱側冷媒流路（63b）を流れ、蓄熱媒体から吸熱して蒸発する。蓄熱用熱交換器（63）で蒸発した冷媒は、第１バイパス管（44a）と通過し、予熱用熱交換器（64）の予熱側冷媒流路（64b）を流れ、蓄熱媒体から吸熱して更に蒸発する。この冷媒は、主蓄熱用流路（44）を流れ、第１導入管（31）と室外熱交換器（23）とに分流する。これらの冷媒は、吸入管（28）で合流し、圧縮機（22）に吸入される。
【０１０４】
また、主蓄熱用流路（44）を通過した冷媒は、第１導入管（31）と室外熱交換器（23）とに分流し、圧縮機（22）に吸入される。このため、冷媒の圧力損失を低減でき、圧縮機（22）の動力を軽減できる。この際、第１導入管（31）を流れる冷媒は、第１過冷却熱交換器（32）を流れるが、第１過冷却熱交換器（32）は空気熱交換器でないため、熱ロスも少ない。また、室外ファン（26）は停止状態であるため、冷媒が室外熱交換器（23）を流れても、熱ロスが少ない。このように、利用暖房運転（１）では、低圧ガス冷媒の圧力損失や熱ロスの低減を図ることができる。また、第１導入管（31）は、冷媒を過冷却するための低圧インジェクション管を兼用するので、配管の本数を削減できる。
【０１０５】
なお、利用暖房運転（１）において、第１減圧弁（EV1）と室外膨張弁（24）のうち室外膨張弁（24）だけを全閉状態とし、低圧ガス冷媒を第１導入管（31）だけに流してもよい。また、第１減圧弁（EV1）と室外膨張弁（24）のうち第１減圧弁（EV1）だけを全閉状態とし、低圧ガス冷媒を室外熱交換器（23）だけに流してもよい。
【０１０６】
[利用暖房運転（２）]
利用暖房運転（２）は、蓄熱用熱交換器（63）で蒸発する冷媒の圧力（ＭＰ）と、室外熱交換器（23）で蒸発する冷媒の圧力（ＬＰ）との差（ＭＰ−ＬＰ）が比較的大きくなるような条件下で実行される。例えば冬季において、外気温度が比較的低い一方、蓄熱装置（60）の蓄熱回路（61）の蓄熱媒体の温度が比較的高いような場合が、この条件に相当する。
【０１０７】
図９に示す利用暖房運転（２）では、四方切換弁（25）が第２状態に、第１電磁弁（SV1）から第６電磁弁（SV6）のうち第１電磁弁（SV1）、第２電磁弁（SV2）、及び第５電磁弁（SV5）が開状態になり、残りは閉状態となる。第１減圧弁（EV1）、第２減圧弁（EV2）、及び第３減圧弁（EV3）が全閉状態に、第４減圧弁（EV4）、室内膨張弁（73）、及び室外膨張弁（24）の開度が適宜調節される。圧縮機（22）、室外ファン（26）、及び室内ファン（74）は作動する。蓄熱装置（60）は、ポンプ（67）が運転状態となり作動する。利用暖房運転の冷媒回路（11）では、室内熱交換器（72）が凝縮器となり、蓄熱用熱交換器（63）及び室外熱交換器（23）が蒸発器となる冷凍サイクルが行われる。
【０１０８】
圧縮機（22）から吐出された冷媒は、ガスライン（L2）を流れ、室内熱交換器（72）で凝縮する。液ライン（L1）に流出した冷媒は、第２分岐管（48）と主液管（42）とに分流する。第２分岐管（48）の冷媒は、第４減圧弁（EV4）で中間圧（冷媒回路（11）の高圧圧力と低圧圧力との間の中間圧力）にまで減圧され、主蓄熱用流路（44）に流出する。主蓄熱用流路（44）の冷媒は、蓄熱用熱交換器（63）及び予熱用熱交換器（64）で加熱され、蒸発する。蒸発した冷媒は、中間中継管（46）、連絡配管（13）、及び中間吸入管（35）を順に流れ、圧縮機（22）の圧縮途中の圧縮室に吸入される。
【０１０９】
主液管（42）の冷媒は、室外膨張弁（24）で減圧された後、室外熱交換器（23）で蒸発し、圧縮機（22）の吸入管（28）に吸入される。圧縮機（22）の圧縮室では、吸入管（28）から吸入された低圧冷媒が中間圧まで圧縮された後、中間吸入管（35）から吸入された中間圧冷媒と混合し、高圧圧力まで圧縮される。
【０１１０】
このように利用暖房運転（２）は、外気温度が低く、蓄熱装置（60）の蓄熱回路（61）の蓄熱媒体の温度が比較的高い条件下で実行されるため、蓄熱用熱交換器（63）の冷媒の蒸発圧力ＭＰと、室外熱交換器（23）の冷媒の蒸発圧力ＬＰとの圧力差（ＭＰ−ＬＰ）とが比較的大きくなる。このため、圧縮機（22）の圧縮室の圧縮途中では、圧縮室の内圧が中間吸入管（35）より導入される冷媒の圧力より大きくなることを抑制でき、中間吸入管（35）の冷媒を圧縮室に確実に導入できる。
【０１１１】
しかも、中間吸入管（35）には、圧縮機（22）から主蓄熱用流路（44）へ向かう逆流を禁止する逆止弁（CV1）が設けられている。このため、仮に中間吸入管（35）を流出する冷媒の圧力ＭＰが、圧縮途中の圧縮室の内圧より低くなったとしても、圧縮室の冷媒が中間吸入管（35）を逆流してしまうことがない。なお、逆止弁（CV1）は、中間吸入管（35）のうち圧縮機（22）のケーシング（22a）内に位置する内側配管部（36）に設けてもよい。これにより、圧縮機構の圧縮途中の圧縮室から逆止弁（CV1）までの流路長さを最小限に抑えることができ、ひいては冷媒の圧縮に寄与しない死容積を最小限に抑えることができる。この結果、圧縮機（22）の圧縮効率の低下を防止できる。
【０１１２】
また、ＭＰ−ＬＰが比較的大きい条件下で冷媒が圧縮されると、圧縮機（22）で冷媒を高圧まで圧縮させるために要する総仕事量が軽減される。この結果、利用暖房運転（２）では、蓄熱媒体の温熱を冷媒に回収させつつ、省エネ性の高い暖房を行うことができる。
【０１１３】
〔暖房蓄熱運転〕
暖房蓄熱運転では、蓄熱装置（60）が作動し、蓄熱タンク（62）に温熱が蓄えられるとともに、室内ユニット（70）で室内の暖房が行われる。
【０１１４】
図１０に示す暖房蓄熱運転では、四方切換弁（25）が第２状態に、第１電磁弁（SV1）から第６電磁弁（SV6）のうち第２電磁弁（SV2）、第３電磁弁（SV3）、第４電磁弁（SV4）、第５電磁弁（SV5）が開状態となり、残りが閉状態となる。第１減圧弁（EV1）、第２減圧弁（EV2）、第３減圧弁（EV3）、及び第４減圧弁（EV4）が全閉状態に、室内膨張弁（73）及び室外膨張弁（24）の開度が適宜調節される。圧縮機（22）、室外ファン（26）、及び室内ファン（74）は作動する。蓄熱装置（60）は、ポンプ（67）が運転状態となり作動する。蓄熱運転の冷媒回路（11）では、室内熱交換器（72）及び蓄熱用熱交換器（63）が凝縮器となり、予熱用熱交換器（64）が放熱器となり、室外熱交換器（23）が蒸発器となる冷凍サイクルが行われる。
【０１１５】
圧縮機（22）から吐出された冷媒は、ガスライン（L2）を流れ、一部が室内熱交換器（72）を流れ、残りが主蓄熱用流路（44）を流れる。室内熱交換器（72）では、冷媒が室内空気へ放熱して凝縮する。室内熱交換器（72）で凝縮した冷媒は、主液管（42）を流れる。
【０１１６】
主蓄熱用流路（44）の冷媒は、蓄熱用熱交換器（63）で蓄熱媒体へ放熱して凝縮する。この冷媒は、高温高圧のガス冷媒であるため、冷媒と蓄熱媒体との温度差が大きくなり、蓄熱媒体に確実に温熱を付与することができる。蓄熱用熱交換器（63）で凝縮した冷媒は、主液管（42）を流れる冷媒と合流し、室外膨張弁（24）で減圧される。減圧後の冷媒は、室外熱交換器（23）で蒸発し、圧縮機（22）に吸入される。
【０１１７】
以上のように、暖房蓄熱運転では、圧縮機（22）から吐出された高温高圧のガス冷媒が、室内熱交換器（72）と蓄熱用熱交換器（６３）との双方へ並列に流れ、各々で凝縮する。この結果、室内の暖房を継続しつつ、蓄熱媒体に温熱を確実に付与させることができる。
【０１１８】
〈圧縮機の回転数制御動作〉
蓄熱式空気調和機（10）では、上述した各種の運転が切り換えられる。より具体的に、蓄熱式空気調和機（10）では、冷媒と蓄熱媒体とが熱交換しない冷凍サイクルである第１動作（即ち、単純冷房運転、単純暖房運転）と、冷媒と蓄熱媒体とが熱交換する冷凍サイクルである第２動作（即ち、利用冷房運転、冷房蓄冷運転、利用暖房運転（１）、利用暖房運転（２）、暖房蓄熱運転）とが相互に切り換えられる。このように第１動作と第２動作とが切り換えられると、例えば冷房時において、冷房能力が過剰となったり、不足したりする問題が生じる。また、暖房時において、暖房能力が過剰となったり、不足したりする問題も生じる。そこで、本実施形態では、２つの動作の切換のタイミングに同期して圧縮機（22）の回転数を強制的に制御する回転数制御動作が行われる。
【０１１９】
この回転数制御動作について、各種の運転の切換に場合分けして説明する。
【０１２０】
〔単純冷房運転→利用冷房運転〕
単純冷房運転から利用冷房運転へ切り換わる際の回転数制御動作について図１１の左側のフローチャートを参照しながら説明する。
【０１２１】
単純冷房運転において、利用冷房運転へ切り換えるための制御信号が、図１に示す入力部（101）に入力されると（ステップＳＴ１）、ステップＳＴ２へ移行する。ステップＳＴ２では、単純冷房運転時に室外熱交換器（23）を流出した直後の高圧液冷媒温度Ｔ１と、利用冷房運転へ切り換わった際の蓄熱用熱交換器（63）を流出した直後の高圧液冷媒の温度Ｔ２とが求められる。冷媒温度Ｔ１は、第１温度センサ（S1）の検出温度に相当する。冷媒温度Ｔ２は、利用冷房運転へ移行する際に蓄熱装置（60）により冷媒に付与される過冷却度ΔＳｃを冷媒温度Ｔ１から差し引いたものである。過冷却度ΔＳｃは、例えば記憶部（102）に記憶された経験値又は所定の運転条件下において推定された予測値である。
【０１２２】
次いでステップＳＴ３では、冷媒温度Ｔ１と冷媒温度Ｔ２とから、低圧冷媒のエンタルピ差の予測変化率Ａが算出される。具体的に、冷媒温度Ｔ１に基づき、単純冷房運転時（即ち、現在）における低圧冷媒のエンタルピ差ｈ１が求められる。また、予測した冷媒温度Ｔ２に基づき、利用冷房運転へ移行した際の低圧冷媒のエンタルピ差ｈ２が求められる。エンタルピ差の予測変化率Ａは、これらの比（Ａ＝ｈ２／ｈ１）で表すことができる。
【０１２３】
次いでステップＳＴ４では、単純冷房運転時（即ち、現在）における圧縮機（22）の回転数Ｒｃにエンタルピ差の予測変化率の逆数（１／Ａ）を乗じ、目標回転数Ｒｔを求める。つまり、目標回転数Ｒｔ＝Ｒｃ×（１／Ａ）は、単純冷房運転から利用冷房運転へ移行した際のエンタルピ差の予測変化率Ａを考慮し、圧縮機（22）の回転数を強制的に減少させるための目標値といえる。
【０１２４】
演算部（103）が目標回転数Ｒｔを算出すると、ステップＳＴ５へ移行し、圧縮機（22）の回転数制御動作が実行される。つまり、圧縮機制御部（104）は、圧縮機（22）のモータの回転数が目標回転数Ｒｔに近づくように、該回転数を制御する。ここで、圧縮機（22）の目標回転数Ｒｔは、回転数制御動作の開始直前の回転数Ｒｃよりも小さい。従って、圧縮機（22）の回転数が減少し、目標回転数Ｒｔに変更される。
【０１２５】
回転数制御動作が開始されると、冷媒回路（11）の各種の弁が切り換わる（ステップＳＴ６）。同時に、第２コントローラ部（200）から蓄熱装置（60）へ制御信号が出力され、蓄熱装置（60）で所定の動作が行われる（ステップＳＴ７）。これにより、利用冷房運転が実行される。
【０１２６】
ここで、利用冷房運転の開始直後には、既に圧縮機（22）の回転数が目標回転数Ｒｔに近づくように減少している。このため、利用冷房運転の開始時において、冷房能力が過渡的に過剰になってしまうことを回避できる。
【０１２７】
また、利用冷房運転へ移行すると、高圧液冷媒の過冷却度が大きくなり、冷媒が湿り状態になり易いが、圧縮機（22）の回転数を減少させることで、液冷媒が圧縮機（22）に吸入される、いわゆる液バック現象も未然に回避できる。
【０１２８】
〔利用冷房運転→単純冷房運転〕
利用冷房運転から単純冷房運転へ切り換わる際の回転数制御動作について図１１の右側のフローチャートを参照しながら説明する。
【０１２９】
利用冷房運転において、単純冷房運転へ切り換えるための制御信号が、図１に示す入力部（101）に入力されると（ステップＳＴ１１）、ステップＳＴ１２へ移行する。ステップＳＴ１２では、利用冷房運転時に室外熱交換器（23）を流出した直後の高圧液冷媒温度Ｔ１と、蓄熱用熱交換器（63）を流出した直後の高圧液冷媒の温度Ｔ２とが計測される。冷媒温度Ｔ１は、第１温度センサ（S1）の検出温度に相当する。冷媒温度Ｔ２は、第２温度センサ（S2）の検出温度に相当する。
【０１３０】
次いでステップＳＴ１３では、冷媒温度Ｔ１と冷媒温度Ｔ２とから、低圧冷媒のエンタルピ差の予測変化率Ａが算出される。具体的に、冷媒温度Ｔ２に基づき、利用冷房運転時（即ち、現在）における低圧冷媒のエンタルピ差ｈ１が求められる。また、冷媒温度Ｔ１に基づき、単純冷房運転へ移行した際の低圧冷媒のエンタルピ差ｈ２が求められる。エンタルピ差の予測変化率Ａは、これらの比（Ａ＝ｈ２／ｈ１）で表すことができる。
【０１３１】
次いでステップＳＴ１４では、利用冷房運転時（即ち、現在）における圧縮機（22）の回転数Ｒｃにエンタルピ差の予測変化率の逆数（１/Ａ）を乗じ、目標回転数Ｒｔを求める。つまり、目標回転数Ｒｔ＝Ｒｃ×（１／Ａ）は、利用冷房運転から単純冷房運転へ移行した際のエンタルピ差の予測変化率Ａを考慮し、圧縮機（22）の回転数を強制的に増大させるための目標値といえる。
【０１３２】
演算部（103）が目標回転数Ｒｔを算出すると、ステップＳＴ１５へ移行し、圧縮機（22）の回転数制御動作が実行される。つまり、圧縮機制御部（104）は、圧縮機（22）のモータの回転数が目標回転数Ｒｔに近づくように、該回転数を制御する。ここで、圧縮機（22）の目標回転数Ｒｔは、回転数制御動作の開始直前の回転数Ｒｃよりも大きい。従って、圧縮機（22）の回転数が増大し、目標回転数Ｒｔへ変更される。
【０１３３】
回転数制御動作が開始されると、冷媒回路（11）の各種の弁が切り換わる（ステップＳＴ１６）。同時に、第２コントローラ部（200）から蓄熱装置（60）へ制御信号が出力され、蓄熱装置（60）で所定の動作が行われる（ステップＳＴ１７）。これにより、単純冷房運転が実行される。
【０１３４】
ここで、単純冷房運転の開始直後には、既に圧縮機（22）の回転数が目標回転数Ｒｔに近づくように増大している。このため、単純冷房運転の開始時において、冷房能力が過渡的に不足してしまうことを回避できる。
【０１３５】
〔単純冷房運転→冷房蓄冷運転〕
単純冷房運転から冷房蓄冷運転へ切り換わる際の回転数制御動作について図１２の左側のフローチャートを参照しながら説明する。
【０１３６】
単純冷房運転において、蓄冷運転へ切り換えるための制御信号が、図１に示す入力部（101）に入力されると（ステップＳＴ２１）、ステップＳＴ２２へ移行する。ステップＳＴ２２では、圧縮機（22）の加算回転数Ｒ１が算出される。この加算回転数Ｒ１は、上述した蓄冷運転時の圧縮機（22）の定格の回転数に基づいて決定される。例えばこの回転数Ｒ１は、圧縮機（22）の最低回転数、又は該最低回転数が小さくなるように補正した所定回転数である。最低回転数を減少方向へ補正する際には、圧縮機（22）が最低回転数で動作する際の容積効率が考慮される。
【０１３７】
次いでステップＳＴ２３では、単純冷房運転時（即ち、現在）の回転数ＲｃにステップＳＴ２２で求めた回転数Ｒ１が加算され、加算後の回転数が目標回転数Ｒｔとなる。
【０１３８】
演算部（103）が目標回転数Ｒｔを算出すると、ステップＳＴ２４へ移行し、圧縮機（22）の回転数制御動作が実行される。これにより、圧縮機（22）の回転数が増大し、目標回転数Ｒｔへと収束していく。
【０１３９】
回転数制御動作が実行されると、ステップＳＴ２５及びステップＳＴ２６へ移行し、冷房蓄冷運転が行われる。この冷房蓄冷運転の開始直後には、既に圧縮機（22）の回転数が目標回転数Ｒｔに近づくように増大している。このため、冷房蓄冷運転の開始時において、冷房能力が過渡的に不足してしまうことを回避できる。
【０１４０】
〔冷房蓄冷運転→単純冷房運転〕
冷房蓄冷運転から単純冷房運転へ切り換わる際の回転数制御動作について図１２の右側のフローチャートを参照しながら説明する。
【０１４１】
冷房蓄冷運転において、単純冷房運転へ切り換えるための制御信号が、図１に示す入力部（101）に入力されると（ステップＳＴ３１）、ステップＳＴ３２へ移行する。ステップＳＴ３２では、圧縮機（22）の減算回転数Ｒ１が算出される。この減算回転数Ｒ１は、上述した冷房蓄冷運転時の圧縮機（22）の定格の回転数に基づいて決定される。例えばこの回転数Ｒ１は、圧縮機（22）の最低回転数、又は該最低回転数が小さくなるように補正した所定回転数である。最低回転数を減少方向へ補正する際には、圧縮機（22）が最低回転数で動作する際の容積効率が考慮される。
【０１４２】
次いでステップＳＴ３３では、冷房蓄冷運転時（即ち、現在）の回転数ＲｃにステップＳＴ３２で求めた回転数Ｒ１が減算され、減算後の回転数が目標回転数Ｒｔとなる。
【０１４３】
演算部（103）が目標回転数Ｒｔを算出すると、ステップＳＴ３４へ移行し、圧縮機（22）の回転数制御動作が実行される。これにより、圧縮機（22）の回転数が減少し、目標回転数Ｒｔへと収束していく。
【０１４４】
回転数制御動作が実行されると、ステップＳＴ３５及びステップＳＴ３６へ移行し、単純冷房運転が行われる。この単純冷房運転の開始直後には、既に圧縮機（22）の回転数が目標回転数Ｒｔに近づくように減少している。このため、単純冷房運転の開始時において、冷房能力が過渡的に過剰になってしまうことを回避できる。
【０１４５】
また、冷媒蓄冷運転から単純冷房運転へ移行すると、冷媒回路（11）の全体的な冷媒の蒸発量が少なくなり、冷媒が湿り状態となり易い。しかし、このように圧縮機（22）の回転数を減少させることで、液バック現象も未然に回避できる。
【０１４６】
〔単純暖房運転→利用暖房運転（１）〕
単純暖房運転から利用暖房運転（１）へ切り換わる際の回転数制御動作について図１３の左側のフローチャートを参照しながら説明する。
【０１４７】
単純暖房運転において、利用暖房運転（１）へ切り換えるための制御信号が、図１に示す入力部（101）に入力されると（ステップＳＴ４１）、ステップＳＴ４２へ移行する。ステップＳＴ４２では、利用暖房運転（１）へ移行した場合の吐出圧Ｐｄ、中間圧Ｐｍ、及び吸入圧Ｐｓの予測値が算出される。
【０１４８】
吐出圧Ｐｄは、例えば暖房を行う室内ユニット（70）の目標温度に基づいて算出される。中間圧Ｐｍは、第３温度センサ（S3）の検出温度に基づいて算出される。つまり、蓄熱用熱交換器（63）の蓄熱側蓄熱流路（63a）を流れる蓄熱媒体の温度を検出することで、この温度に基づいて蓄熱側冷媒流路（63b）を流れる中間圧冷媒の蒸発温度、ひいては中間圧Ｐｍを予測できる。吸入圧Ｐｓは、第４温度センサ（S4）で検出した室外空気の温度に基づいて算出される。つまり、室外空気の温度を検出することで、室外熱交換器（23）で蒸発する低圧冷媒の蒸発温度、ひいては吸入圧Ｐｓを予測できる。
【０１４９】
ステップＳＴ４３では、ステップＳＴ４２で求めた吐出圧Ｐｄ、中間圧Ｐｍ、及び吸入圧Ｐｓに基づいて、利用暖房運転（１）へ移行した際の圧縮機（22）の吸入冷媒流量比の予測変化率Ｂが算出される。具体的に、記憶部（102）には、吐出圧Ｐｄ、中間圧Ｐｍ、及び吸入圧Ｐｓと、これらの値から圧縮機（22）の仕様等に応じて求められる吸入冷媒流量の割合が記憶されている。この吸入冷媒流量の割合は、利用暖房運転（１）において、中間インジェクションが行われる冷媒の流量Ｖ１と吸入冷媒流量Ｖ２との合計（Ｖ１＋Ｖ２）に対するV２が占める割合である。例えば中間インジェクションの冷媒流量の割合（Ｖ１／（Ｖ１＋Ｖ２））が１５％であれば、吸入冷媒流量の割合は８５％となる。
【０１５０】
演算部（103）は、単純暖房運転時の圧縮機（22）の吸入冷媒流量の割合（即ち、１００％）と、利用暖房運転（１）へ移行した際の圧縮機（22）の吸入冷媒流量の割合との比（予測変化率）Ｂを算出する。例えば上述の例では、この予測変化率Ｂ＝０．８５／１．０＝０．８５となる。
【０１５１】
次いで、ステップＳＴ４４では、単純暖房運転時（即ち、現在）の回転数ＲｃにステップＳＴ４３で求めた予測変化率Ｂが乗算され、目標回転数Ｒｔ（＝Ｒｃ×Ｂ）が算出される。
【０１５２】
演算部（103）が目標回転数Ｒｔを算出すると、ステップＳＴ４５へ移行し、圧縮機（22）の回転数制御動作が実行される。これにより、圧縮機（22）の回転数が減少し、目標回転数Ｒｔへと収束していく。
【０１５３】
回転数制御動作が実行されると、ステップＳＴ４６及びステップＳＴ４７へ移行し、利用暖房運転（１）が行われる。この利用暖房運転（１）の開始直後には、既に圧縮機（22）の回転数が目標回転数Ｒｔに近づくように減少している。従って、利用暖房運転（１）の開始時において、暖房能力が過渡的に過剰になってしまうことを回避できる。
【０１５４】
また、単純暖房運転から利用暖房運転（１）へ移行すると、冷媒回路（11）の全体的な冷媒の蒸発圧力が高くなり、高圧圧力が上昇し易い。これにより、例えば圧縮機（22）で垂下制御が行われてしまい、所望とする運転を継続できない恐れがある。しかし、このように圧縮機（22）の回転数を減少させることで高圧圧力の上昇も未然に回避できる。
【０１５５】
〔利用暖房運転（１）→単純暖房運転〕
利用暖房運転（１）から単純暖房運転へ切り換わる際の回転数制御動作について図１３の右側のフローチャートを参照しながら説明する。
【０１５６】
利用暖房運転（１）において、単純暖房運転へ切り換えるための制御信号が、図１に示す入力部（101）に入力されると（ステップＳＴ５１）、ステップＳＴ５２へ移行する。ステップＳＴ５２では、ステップＳＴ４２と同様にして、現在の利用暖房運転（１）の吐出圧Ｐｄ、中間圧Ｐｍ、及び吸入圧Ｐｓが算出される。
【０１５７】
ステップＳＴ５３では、ステップＳＴ５２で求めた吐出圧Ｐｄ、中間圧Ｐｍ、及び吸入圧Ｐｓに基づいて、現在の利用暖房運転（１）の圧縮機（22）の吸入冷媒流量比の予測変化率Ｂが算出される。具体的に、記憶部（102）には、吐出圧Ｐｄ、中間圧Ｐｍ、及び吸入圧Ｐｓと、これらの値から圧縮機（22）の仕様等に応じて求められる吸入冷媒流量の割合が記憶されている。この吸入冷媒流量の割合は、利用暖房運転（１）において、中間インジェクションが行われる冷媒の流量Ｖ１と吸入冷媒流量Ｖ２との合計（Ｖ１＋Ｖ２）に対するV２が占める割合である。例えば中間インジェクションの冷媒流量の割合（V１／（V１＋V２））が１５％であれば、吸入冷媒流量の割合は８５％となる。
【０１５８】
演算部（103）は、現在の利用暖房運転（１）の吸入冷媒流量の割合（即ち８５％）と、単純暖房運転時の圧縮機（22）の吸入冷媒流量の割合（即ち、１００％）との比（予測変化率）を算出する。例えばこの例では、この予測変化率Ｂ＝１．０／０．８５≒１．１８となる。
【０１５９】
次いで、ステップＳＴ５４では、利用暖房運転（１）時（即ち、現在）の回転数ＲｃにステップＳＴ５３で求めた予測変化率Ｂが乗算され、目標回転数Ｒｔ（＝Ｒｃ×Ｂ）が算出される。
【０１６０】
演算部（103）が目標回転数Ｒｔを算出すると、ステップＳＴ５５へ移行し、圧縮機（22）の回転数制御動作が実行される。これにより、圧縮機（22）の回転数が増大し、目標回転数Ｒｔへと収束していく。
【０１６１】
回転数制御動作が実行されると、ステップＳＴ５６及びステップＳＴ５７へ移行し、単純暖房運転が行われる。この単純暖房運転の開始直後には、既に圧縮機（22）の回転数が目標回転数Ｒｔに近づくように増大している。このため、単純暖房運転の開始時において、凝縮圧力の低下を防止でき、暖房能力が過渡的に不足してしまうことを回避できる。
【０１６２】
〔単純暖房運転→利用暖房運転（２）〕
単純暖房運転から利用暖房運転（２）へ切り換わる際の回転数制御動作について図１４の右側のフローチャートを参照しながら説明する。
【０１６３】
単純暖房運転において、利用暖房運転（２）へ切り換えるための制御信号が、図１に示す入力部（101）に入力されると（ステップＳＴ６１）、ステップＳＴ６２へ移行する。
【０１６４】
ステップＳＴ６２では、単純暖房運転時の吸入圧Ｐｓが算出される。この吸入圧Ｐｓは、第４温度センサ（S4）で検出した室外空気の温度に基づいて算出される。つまり、室外空気の温度を検出することで、室外熱交換器（23）で蒸発する低圧冷媒の蒸発温度、ひいては吸入圧Ｐｓを予測できる。
【０１６５】
また、ステップＳ６２では、利用暖房運転（２）へ移行した際の吸入圧Ｐｓの予測値が算出される。この吸入圧Ｐｓは、室外熱交換器（23）の冷媒の蒸発温度、及び蓄熱用熱交換器（63）の蓄熱側蓄熱流路（63a）の冷媒の蒸発温度に基づいて算出される。具体的に、室外熱交換器（23）の冷媒の蒸発温度は、第４温度センサ（S4）で検出した室外空気の温度に基づいて算出される。蓄熱用熱交換器（63）の蓄熱側蓄熱流路（63a）の冷媒の蒸発温度は、第３温度センサ（S3）で検出した蓄熱媒体の温度に基づいて算出される。
【０１６６】
演算部（103）は、単純暖房運転（即ち、現在）の吸入圧Ｐｓ１と、利用暖房運転（２）へ移行する際の吸入圧Ｐｓ２との予測変化率ΔＰｅを算出する。つまり、演算部（103）は、単純暖房運転から利用暖房運転（２）へ移行する際の吸入圧Ｐｓの変化率（ΔＰｅ＝Ｐｓ１／Ｐｓ２）を予測する。
【０１６７】
次いで、演算部（103）は、吸入圧の予測変化率ΔＰｅから、圧縮機（22）に吸入される吸入冷媒の密度変化率Ｃを算出する。つまり、演算部（103）は、単純暖房運転から利用暖房運転（２）へ移行する際の吸入冷媒密度の変化率Ｃを予測する。
【０１６８】
次いで、ステップＳＴ６４では、単純暖房運転時（即ち、現在）の回転数ＲｃにステップＳＴ６３で求めた吸入冷媒密度の予測変化率Ｃの逆数（１／Ｃ）が乗じられ、目標回転数Ｒｔ（＝Ｒｃ×（１／Ｃ））が算出される。
【０１６９】
演算部（103）が目標回転数Ｒｔを算出すると、ステップＳＴ６５へ移行し、圧縮機（22）の回転数制御動作が実行される。これにより、圧縮機（22）の回転数が減少し、目標回転数Ｒｔへと収束していく。
【０１７０】
回転数制御動作が実行されると、ステップＳＴ６６及びステップＳＴ６７へ移行し、利用暖房運転（２）が実行される。この利用暖房運転（２）の開始直後には、既に圧縮機（22）の回転数が目標回転数Ｒｔに近づくように減少している。従って、利用暖房運転（２）の開始時において、暖房能力が過渡的に過剰になってしまうことを回避できる。
【０１７１】
また、単純暖房運転から利用暖房運転（２）へ移行すると、冷媒回路（11）の冷媒の蒸発圧力が高くなり、高圧圧力が上昇し易い。これにより、例えば圧縮機（22）で垂下制御が行われてしまい、所望とする運転を継続できない恐れがある。しかし、このように圧縮機（22）の回転数を減少させることで高圧圧力の上昇も未然に回避できる。
【０１７２】
〔利用暖房運転（２）→単純暖房運転〕
利用暖房運転（２）から単純暖房運転へ切り換わる際の回転数制御動作について図１４の左側のフローチャートを参照しながら説明する。
【０１７３】
利用暖房運転（２）において、単純暖房運転へ切り換えるための制御信号が、図１に示す入力部（101）に入力されると（ステップＳＴ７１）、ステップＳＴ７２へ移行する。
【０１７４】
ステップＳＴ７２では、利用暖房運転（２）時の吸入圧Ｐｓが算出される。この吸入圧Ｐｓは、ステップＳＴ６２と同様、室外熱交換器（23）の冷媒の蒸発温度、及び蓄熱用熱交換器（63）の蓄熱側蓄熱流路（63a）の冷媒の蒸発温度に基づいて算出される。また、ステップＳＴ７２では、単純暖房運転へ移行した際の吸入圧Ｐｓが算出される。この吸入圧Ｐｓは、ステップＳ６２と同様、室外熱交換器（23）の冷媒の蒸発温度に基づいて算出される。
【０１７５】
演算部（103）は、利用暖房運転（２）（即ち、現在）の吸入圧Ｐｓ１と、単純暖房運転へ移行する際の吸入圧Ｐｓ２との予測変化率ΔＰｅを算出する。つまり、演算部（103）は、利用暖房運転（２）から単純暖房運転へ移行する際の吸入圧Ｐｓの変化率（ΔＰｅ＝Ｐｓ１／Ｐｓ２）を予測する。
【０１７６】
次いで、演算部（103）は、吸入圧の予測変化率ΔＰｅから、圧縮機（22）に吸入される吸入冷媒の密度変化率Ｃを算出する。つまり、演算部（103）は、利用暖房運転（２）から単純暖房運転へ移行する際の吸入冷媒密度の変化率Ｃを予測する。
【０１７７】
次いで、ステップＳＴ７４では、利用暖房運転（２）時（即ち、現在）の回転数RcにステップＳＴ７３で求めた吸入冷媒密度の予測変化率Ｃの逆数（１／Ｃ）が乗じられ、目標回転数Ｒｔ（＝Ｒｃ×（１／Ｃ））が算出される。
【０１７８】
演算部（103）が目標回転数Ｒｔを算出すると、ステップＳＴ７５へ移行し、圧縮機（22）の回転数制御動作が実行される。これにより、圧縮機（22）の回転数が増大し、目標回転数Ｒｔへと収束していく。
【０１７９】
回転数制御動作が実行されると、ステップＳＴ７６及びステップＳＴ７７へ移行し、単純暖房運転が実行される。この単純暖房運転の開始直後には、既に圧縮機（22）の回転数が目標回転数Ｒｔに近づくように増大している。このため、単純暖房運転の開始時において、蒸発圧力の低下、ないし凝縮圧力の低下を防止でき、暖房能力が過渡的に不足してしまうことを回避できる。
【０１８０】
〔単純暖房運転→暖房蓄熱運転〕
単純暖房運転から暖房蓄熱運転へ切り換わる際の回転数制御動作について図１５の左側のフローチャートを参照しながら説明する。
【０１８１】
単純暖房運転において、暖房蓄熱運転へ切り換えるための制御信号が、図１に示す入力部（101）に入力されると（ステップＳＴ８１）、ステップＳＴ８２へ移行する。ステップＳＴ８２では、圧縮機（22）の加算回転数Ｒ２が算出される。この加算回転数Ｒ２は、上述した蓄熱運転時の圧縮機（22）の定格の回転数に基づいて決定される。例えばこの回転数R２は、圧縮機（22）の最低回転数、又は該最低回転数が小さくなるように補正した所定回転数である。最低回転数を減少方向へ補正する際には、圧縮機（22）が最低回転数で動作する際の容積効率が考慮される。
【０１８２】
次いでステップＳＴ８３では、単純暖房運転時（即ち、現在）の回転数ＲｃにステップＳＴ８２で求めた回転数Ｒ２が加算され、加算後の回転数が目標回転数Ｒｔとなる。
【０１８３】
演算部（103）が目標回転数Ｒｔを算出すると、ステップＳＴ８４へ移行し、圧縮機（22）の回転数制御動作が実行される。これにより、圧縮機（22）の回転数が増大し、目標回転数Ｒｔへと収束していく。
【０１８４】
回転数制御動作が実行されると、ステップＳＴ８５及びステップＳＴ８６へ移行し、暖房蓄熱運転が行われる。この暖房蓄熱運転の開始直後には、既に圧縮機（22）の回転数が目標回転数Ｒｔに近づくように増大している。このため、暖房蓄熱運転の開始時において、暖房能力が過渡的に不足してしまうことを回避できる。
【０１８５】
〔暖房蓄熱運転→単純暖房運転〕
暖房蓄熱運転から単純暖房運転へ切り換わる際の回転数制御動作について図１５の右側のフローチャートを参照しながら説明する。
【０１８６】
暖房蓄熱運転において、単純暖房運転へ切り換えるための制御信号が、図１に示すの入力部（101）に入力されると（ステップＳＴ９１）、ステップＳＴ９２へ移行する。ステップＳＴ９２では、圧縮機（22）の減算回転数Ｒ２が算出される。この減算回転数Ｒ２は、上述した蓄熱運転時の圧縮機（22）の定格の回転数に基づいて決定される。例えばこの回転数Ｒ２は、圧縮機（22）の最低回転数、又は該最低回転数が小さくなるように補正した所定回転数である。最低回転数を減少方向へ補正する際には、圧縮機（22）が最低回転数で動作する際の容積効率が考慮される。
【０１８７】
次いでステップＳＴ９３では、暖房蓄熱運転時（即ち、現在）の回転数ＲｃにステップＳＴ９２で求めた回転数Ｒ２が減算され、減算後の回転数が目標回転数Ｒｔとなる。
【０１８８】
演算部（103）が目標回転数Ｒｔを算出すると、ステップＳＴ９４へ移行し、圧縮機（22）の回転数制御動作が実行される。これにより、圧縮機（22）の回転数が減少し、目標回転数Ｒｔへと収束していく。
【０１８９】
回転数制御動作が実行されると、ステップＳＴ９５及びステップＳＴ９６へ移行し、単純暖房運転が行われる。この単純暖房運転の開始直後には、既に圧縮機（22）の回転数が目標回転数Ｒｔに近づくように減少している。このため、単純暖房運転の開始時において、暖房能力が過渡的に過剰になってしまうことを回避できる。
【０１９０】
また、暖房蓄熱運転から単純暖房運転へ移行すると、冷媒回路（11）の全体的な冷媒の凝縮量が少なくなり、高圧圧力が上昇し易い。これにより、例えば圧縮機（22）で垂下制御が行われてしまい、所望とする運転を継続できない恐れがある。しかし、このように圧縮機（22）の回転数を減少させることで高圧圧力の上昇も未然に回避できる。
【０１９１】
−実施形態の効果−
実施形態によれば、冷媒が蓄熱媒体と熱交換しない第１動作（単純冷房運転、単純暖房運転）と、冷媒が蓄熱媒体と熱交換する第２動作（利用冷房運転、冷房蓄冷運転、利用暖房運転、暖房蓄熱運転、）とを相互に切り換える際、このタイミングに同期して圧縮機（22）の回転数を強制的に変更するので、切換直後に空調能力が過剰となったり、不足したりするのを未然に回避できる。
【０１９２】
また、入力部（101）に制御信号が入力された後、第１動作と第２動作とを切り換える前に圧縮機（22）の回転数を変更するため、各動作が切り換わる前に圧縮機（22）の回転数を確実に所望とする目標回転数Ｒｔに変更できる。これにより、各動作の切換直後に空調能力が過剰となったり、不足したりするのを一層確実に防止できる。加えて、例えば圧縮機（22）に液冷媒が圧縮される液バック現象や、冷媒の高圧圧力の異常上昇も確実に回避できる。
【０１９３】
上述したように、単純冷房運転から利用冷房運転へ移行する際、冷房能力が過剰となったり、液バック現象が生じたりするのを未然に回避できる。また、利用冷房運転から単純冷房運転へ移行する際、冷房能力が不足するのを未然に回避できる。
【０１９４】
単純冷房運転から冷房蓄冷運転へ移行する際、冷房能力が不足するのを未然に回避できる。また、冷房蓄冷運転から単純冷房運転へ移行する際、冷房能力が過剰となったり、液バック現象が生じたりするのを未然に回避できる。
【０１９５】
単純暖房運転から利用暖房運転へ移行する際、暖房能力が過剰となったり、冷媒の高圧圧力が異常上昇したりすることを未然に回避できる。また、利用暖房運転から単純暖房運転へ移行する際、暖房能力が不足するのを未然に回避できる。
【０１９６】
単純暖房運転から暖房蓄熱運転へ移行する際、暖房能力が不足するのを未然に回避できる。また、暖房蓄熱運転から単純暖房運転へ移行する際、暖房能力が過剰となったり、冷媒の高圧圧力が異常上昇したりすることを未然に回避できる。
【０１９７】
《その他の実施形態》
上記実施形態では、例えば図１１等に示すように、入力部（101）に制御信号が入力された後であり、各運転を切り換える直前に圧縮機（22）の回転数を強制的に変更するようにしている。しかしながら、例えば入力部（101）に制御信号が入力されると直ぐに各運転が切り換えられ、この切換と同時又は直後に圧縮機（22）の回転数を強制的に変更するようにしてもよい。
【０１９８】
また、上記実施形態では、回転数制御動作が開始されると、直ぐに運転を切り換えるようにしている。しかしながら、回転数制御動作が開始され、圧縮機（22）の回転数が目標回転数Ｒｔに至ると運転を切り換えるようにしてもよい。これにより、空調能力が過剰となったり、不足したりすることを一層確実に回避できる。
【０１９９】
上記実施形態では、単段圧縮式の冷凍サイクルを行う蓄熱式空気調和機である。しかしながら、蓄熱式空気調和機は、複数の圧縮機が直列に接続され、冷媒を２段階に圧縮する二段圧縮式の冷凍サイクルを行うものであってもよい。ここで、圧縮機（22）は、低段側圧縮機構と高段側圧縮機構を1つのケーシングに収納し、同一の回転軸で回転させる一軸型二段圧縮機であってもよいし、低段側圧縮機構と高段側圧縮機構を個別のケーシングに収納する二段圧縮機構であってもよい。
【産業上の利用可能性】
【０２００】
以上説明したように、本発明は、蓄熱式空気調和機について有用である。
【符号の説明】
【０２０１】
10     蓄熱式空気調和機
11     冷媒回路
22     圧縮機
23     室外熱交換器
63     蓄熱用熱交換器（蓄熱部）
72     室内熱交換器
100    運転制御部（第１コントローラ部、コントローラ）
101    入力部
104    圧縮機制御部
200    運転制御部（第２コントローラ部、コントローラ）
【図１】
2016211802.tif 000003
【図２】
2016211802.tif 000004
【図３】
2016211802.tif 000005
【図４】
2016211802.tif 000006
【図５】
2016211802.tif 000007
【図６】
2016211802.tif 000008
【図７】
2016211802.tif 000009
【図８】
2016211802.tif 000010
【図９】
2016211802.tif 000011
【図１０】
2016211802.tif 000012
【図１１】
2016211802.tif 000013
【図１２】
2016211802.tif 000014
【図１３】
2016211802.tif 000015
【図１４】
2016211802.tif 000016
【図１５】
2016211802.tif 000017